(57)【特許請求の範囲】
【請求項１】
開口を覆う開閉可能な蓋部を有する試薬容器を保持するための容器保持部と、
前記蓋部の開放状態において前記試薬容器内の試薬を吸引し、吸引した試薬を反応容器に分注するための試薬分注部と、
前記開口を覆う位置に移動された前記蓋部を、前記開口に向けて押圧して前記開口を密閉するための押圧部と、
前記容器保持部を内部に収容し、前記押圧部および前記試薬分注部が内部へ進入するための孔部を有する上面部を有する試薬保冷庫と、
前記試薬保冷庫の前記孔部を開閉するためのシャッタ機構と、
反応容器に分注された検体および試薬により調製された測定用試料に含まれる成分を測定するための測定部と、を備え、
前記押圧部は、下方向の移動に伴って前記シャッタ機構と接触して前記シャッタ機構を開放する、検体測定装置。
【請求項２】
前記押圧部は、前記蓋部を押圧して、前記蓋部に形成された突起部を前記開口に嵌合させることにより、前記開口を密閉する、請求項１に記載の検体測定装置。
【請求項３】
前記押圧部は、前記蓋部の上方から、前記蓋部の第１領域を下方向に押圧することにより前記蓋部を開放し、前記蓋部の第２領域を下方向に押圧することにより前記開口を密閉する、請求項１または２に記載の検体測定装置。
【請求項４】
前記押圧部は、前記第１領域または前記第２領域を下方向に押圧して、前記第１領域と前記第２領域との間の回動中心回りに前記蓋部を回動させることにより、前記蓋部を開閉させる、請求項３に記載の検体測定装置。
【請求項５】
前記押圧部は、閉鎖状態の前記蓋部の前記第１領域を下方向に押圧して前記蓋部を開放した後、前記回動中心よりも上方で、開放状態の前記第２領域に接触する上昇位置まで上方移動する、請求項４に記載の検体測定装置。
【請求項６】
前記押圧部は、前記上昇位置において開放状態の前記第２領域と水平方向に接触して前記蓋部を仮閉め位置まで回動させた後、前記仮閉め位置における前記第２領域を下方向に押圧して前記蓋部を回動させ、前記蓋部により前記試薬容器の前記開口を密閉させる、請求項５に記載の検体測定装置。
【請求項７】
前記押圧部は、前記蓋部の開放時に、前記第１領域の前記回動中心からの長さと等しい量だけ前記回動中心よりも下方に位置する下降位置まで下降する、請求項４〜６のいずれか１項に記載の検体測定装置。
【請求項８】
前記容器保持部を移動させる保持部駆動部をさらに備え、
前記容器保持部は、前記押圧部の下方に前記蓋部の前記第１領域および前記第２領域をそれぞれ配置するように、水平方向に移動する、請求項３〜７のいずれか１項に記載の検体測定装置。
【請求項９】
前記容器保持部は、複数の前記試薬容器を円周方向に並べて保持するように形成され、
前記保持部駆動部は、前記容器保持部を円周方向に回転移動させて、各々の前記試薬容器を前記押圧部の下方に配置させる、請求項８に記載の検体測定装置。
【請求項１０】
前記押圧部は、前記蓋部と接触する下端部と、前記下端部よりも上側に設けられ、前記シャッタ機構と接触する接触面とを有する、請求項１〜９のいずれか１項に記載の検体測定装置。
【請求項１１】
前記シャッタ機構は、前記上面部に沿って水平方向に移動可能に構成され、
前記接触面は、下方向移動に伴って前記シャッタ機構を水平方向に移動させる傾斜面を含む、請求項１０に記載の検体測定装置。
【請求項１２】
前記シャッタ機構は、互いに離れる方向に移動可能に隣接する一対のシャッタを含み、
前記押圧部は、前記一対のシャッタの間の位置で上下方向へ移動可能に配置され、
前記接触面は、前記押圧部の同じ上下位置で、各々の前記シャッタと接触するように前記押圧部の両側に設けられたテーパ状の前記傾斜面を含む、請求項１１に記載の検体測定装置。
【請求項１３】
前記一対のシャッタは、それぞれ、互いに一端側の端部でシャッタヒンジにより回動可能に連結された柱状部材により構成され、
前記孔部は、前記シャッタの前記一端側の位置に配置された第１孔部と、前記シャッタの前記一端側とは反対の他端側の位置に配置され、前記第１孔部よりも大きい第２孔部とを含み、
前記押圧部が前記第１孔部を通過するように設けられ、前記試薬分注部が前記第２孔部を通過するように設けられている、請求項１２に記載の検体測定装置。
【請求項１４】
前記シャッタ機構は、前記孔部を閉鎖する方向に付勢する付勢部材を含み、
前記押圧部は、下方移動に伴って前記付勢部材の付勢力に抗して前記シャッタ機構を開放させ、上方移動に伴って前記付勢部材の付勢力によって前記シャッタ機構を閉鎖させる、請求項１〜１３のいずれか１項に記載の検体測定装置。
【請求項１５】
前記押圧部は、
前記蓋部の第１領域を下方向に押圧することにより前記蓋部を開放し、前記蓋部の第２領域を下方向に押圧することにより前記開口を密閉し、
開放状態の前記第２領域に接触する上昇位置と、前記上昇位置よりも下方で、開放状態の前記第１領域に接触する下降位置と、前記上昇位置および前記下降位置の間で、前記第２領域を押圧して前記蓋部を閉鎖させる蓋閉め位置と、に上下移動するように構成され、
前記シャッタ機構は、前記押圧部が前記上昇位置および前記蓋閉め位置に位置する場合に閉鎖され、前記押圧部が前記下降位置に位置する場合に開放されるように構成されている、請求項１〜１４のいずれか１項に記載の検体測定装置。
【請求項１６】
前記押圧部および前記試薬分注部は、前記試薬保冷庫の外部の前記上面部上に設置されている、請求項１〜１５のいずれか１項に記載の検体測定装置。
【請求項１７】
開口を覆う開閉可能な蓋部を備え、請求項１〜１６のいずれか１項に記載の検体測定装置に用いられる、試薬容器。
【請求項１８】
前記開口が設けられた容器本体と、
前記容器本体に着脱可能に設けられ、前記開口を封止するためのキャップとをさらに備え、
前記蓋部は、前記キャップに代えて前記容器本体に着脱可能に構成されている、請求項１７に記載の試薬容器。
【請求項１９】
前記容器本体は、前記蓋部を着脱するための取付部を有し、
前記蓋部は、前記取付部に係合することにより前記容器本体を密閉するように構成されている、請求項１８に記載の試薬容器。
【請求項２０】
被検体から採取された検体を反応容器に分注し、
試薬保冷庫に収容され、開口を覆う開閉可能な蓋部を有する試薬容器の前記蓋部を開放し、
前記蓋部の開放状態において前記試薬容器内の試薬を吸引し、
上面部に孔部が形成された前記試薬保冷庫の前記孔部を塞ぐシャッタ機構を、前記上面部の外部から下降する押圧部によって開放させ、
試薬の吸引後、前記開口を覆う位置に移動された前記蓋部を、前記押圧部により前記開口に向けて押圧して前記開口を密閉し、
吸引した試薬を反応容器に分注し、
反応容器に分注された検体および試薬により調製された測定用試料に含まれる成分を検出する、検体測定方法。
【請求項２１】
前記押圧部により、前記蓋部の第１領域を下方向に押圧することにより前記蓋部を開放し、
前記押圧部により、前記蓋部の第２領域を下方向に押圧することにより前記開口を密閉する、請求項２０に記載の検体測定方法。
【請求項２２】
前記蓋部は、前記試薬容器の前記開口を覆う前記第２領域と、前記第２領域から水平方向に突出する前記第１領域との間に配置された水平方向の回動中心回りに回動するように構成され、
前記蓋部を閉鎖する際、前記押圧部により、前記第２領域が前記開口を密閉するまで前記開口に向けて下方向に押圧する、請求項２１に記載の検体測定方法。
【請求項２３】
前記蓋部を開放する際、
前記押圧部に対して前記試薬容器を水平方向に相対移動させて前記第１領域を前記押圧部の下方に配置し、
前記押圧部を、前記第１領域の前記回動中心からの長さと略等しい量だけ前記回動中心よりも下方に位置する下降位置まで下降させる、請求項２２に記載の検体測定方法。
【請求項２４】
前記蓋部を閉鎖する際、
前記押圧部を、前記回動中心よりも上方で、開放状態の前記第２領域に接触する上昇位置まで移動させ、
前記押圧部に対して前記試薬容器を水平方向に相対移動させて前記押圧部と前記第２領域とを水平方向に接触させることにより、前記蓋部を仮閉め位置まで回動させる、請求項２２または２３に記載の検体測定方法。
【請求項２５】
前記押圧部に対して前記試薬容器を水平方向に相対移動させて前記仮閉め位置の前記第２領域を前記押圧部の下方に配置し、
閉鎖状態の前記第２領域の上面位置である蓋閉め位置へ前記押圧部を下降させて、前記第２領域により前記開口を密閉させる、請求項２４に記載の検体測定方法。
【請求項２６】
前記蓋部を閉鎖する際、
前記押圧部を、前記回動中心よりも上方で、開放状態の前記第２領域に接触する上昇位置まで移動させることにより、前記シャッタ機構を閉鎖させる、請求項２２に記載の検体測定方法。
【請求項２７】
前記蓋部を閉鎖する際、前記シャッタ機構の閉鎖状態を維持したまま、閉鎖状態の前記第２領域の上面位置である蓋閉め位置へ前記押圧部を下降させて、前記第２領域により前記開口を密閉させる、請求項２６に記載の検体測定方法。
【発明の詳細な説明】
【技術分野】
【０００１】
開閉可能な蓋部を有する試薬容器から試薬を吸引して試料の分析に使用する検体測定装置がある（たとえば、特許文献１参照）。
【背景技術】
【０００２】
上記特許文献１の検体測定装置は、図１９に示すように、上下移動可能な分注ピペット９０１と、上下移動可能な突出部９０２と、を含む試薬ユニット９００を備える。試薬ユニット９００は、試薬容器９１０の上方に配置され、水平方向に移動できる。試薬容器９１０は、上端に開口を有し、開閉可能な蓋部９１１に覆われている。蓋部９１１は、蓋部９１１の端部に連結された回転支点９１２を中心として上下に回動でき、回動によって開口を開閉する。蓋部９１１には、上面から上方に突出する爪部９１３が設けられている。
【０００３】
上記特許文献１では、図１９の（Ａ）〜（Ｆ）の工程を経て、試薬の吸引が行われる。すなわち、（Ａ）の状態から、突出部９０２が爪部９１３の位置まで下降し、試薬ユニット９００が水平移動して、突出部９０２により爪部９１３を図中の左側に押圧する。（Ｂ）押圧により、蓋部９１１が爪部９１３とともに回動して、蓋部９１１が開く。（Ｃ）分注ピペット９０１が試薬容器９１０の開口から内部に進入して試薬を吸引する。（Ｄ）分注ピペット９０１が試薬容器９１０の上方に退避した後、（Ｅ）試薬ユニット９００が水平移動して、突出部９０２が蓋部９１１を図中の右側へ水平方向に押圧する。（Ｆ）水平方向右側への押圧により、蓋部９１１が回動して、蓋部９１１が閉じる。
【先行技術文献】
【特許文献】
【０００４】
【特許文献１】特開２００１−３４３３９２号公報
【発明の概要】
【発明が解決しようとする課題】
【０００５】
しかしながら、上記特許文献１では、突出部が蓋部を水平方向に押すことによって蓋部を閉じているだけなので、図１９（Ｆ）の蓋部を閉じた状態において、蓋部が完全には閉まりきらない可能性がある。隙間ができて蓋部が完全に閉まらない場合、試薬容器の密閉度が不十分となり、その結果、試薬の蒸発や変性が進行しやすいという不都合が生じる。
【０００６】
この発明は、開閉可能な蓋部を備えた試薬容器から試薬吸引を行う場合に、蓋部の開閉動作を行っても蓋部による高い密閉度を確保することに向けたものである。
【課題を解決するための手段】
【０００７】
この発明の第１の局面による検体測定装置（１００）は、開口（２１０）を覆う開閉可能な蓋部（２２０）を有する試薬容器（２００）を保持するための容器保持部（１０）と、蓋部（２２０）の開放状態において試薬容器（２００）内の試薬を吸引し、吸引した試薬を反応容器（５０）に分注するための試薬分注部（３０）と、開口（２１０）を覆う位置に移動された蓋部（２２０）を、開口（２１０）に向けて押圧して開口（２１０）を密閉するための押圧部（２０）と、容器保持部（１０）を内部に収容し、押圧部（２０）および試薬分注部（３０）が内部へ進入するための孔部（３１４）を有する上面部（３１１）を有する試薬保冷庫（３００）と、試薬保冷庫（３００）の孔部（３１４）を開閉するためのシャッタ機構（３４０）と、反応容器（５０）に分注された検体および試薬により調製された測定用試料に含まれる成分を測定するための測定部（４０）と、を備え、押圧部（２０）は、下方向の移動に伴ってシャッタ機構（３４０）と接触してシャッタ機構（３４０）を開放する。
【０００８】
第１の局面による検体測定装置では、上記のように、開口（２１０）を覆う位置に移動された蓋部（２２０）を、開口（２１０）に向けて押圧して開口（２１０）を密閉するための押圧部（２０）を設ける。これにより、蓋部（２２０）を閉じる際に、隙間ができて蓋部（２２０）が僅かに開いた状態になることなく、押圧部（２０）の押圧によって蓋部（２２０）を完全に閉じて試薬容器（２００）を密閉できる。以上により、開閉可能な蓋部（２２０）を備えた試薬容器（２００）から試薬吸引を行う場合に、蓋部（２２０）の開閉動作を行っても蓋部（２２０）による高い密閉度を確保することができる。また、試薬容器（２００）を冷温保管することができる。そして、孔部（３１４）を有する上面部（３１１）により、押圧部（２０）および試薬分注部（３０）を試薬保冷庫（３００）の外部に配置できる。そのため、試薬保冷庫（３００）の容積を極力小さくして冷却効率を向上させることができる。そして、シャッタ機構（３４０）によって試薬を吸引しない場合に試薬保冷庫（３００）の気密性を向上させることができるので、試薬保冷庫（３００）内の温度変化の抑制および冷却効率の向上が図れる。また、蓋部（２２０）を開放する際、押圧部（２０）が下降することによりシャッタ機構（３４０）を開放させるので、シャッタ機構（３４０）を開放するための駆動源を別途設ける必要がない。そのため、シャッタ機構（３４０）を設ける場合の装置構成を簡素化できる。
【０００９】
上記第１の局面による検体測定装置において、好ましくは、押圧部（２０）は、蓋部（２２０）を押圧して、蓋部（２２０）に形成された突起部（２２４）を開口（２１０）に嵌合させることにより、開口（２１０）を密閉する。このように構成すれば、押圧部（２０）によって突起部（２２４）が開口（２１０）に嵌るまで蓋部（２２０）を押圧できるので、突起部（２２４）と開口（２１０）との嵌合によって気密性を向上させることができる。
【００１０】
上記第１の局面による検体測定装置において、好ましくは、押圧部（２０）は、蓋部（２２０）の上方から、蓋部（２２０）の第１領域（２２１）を下方向に押圧することにより蓋部（２２０）を開放し、蓋部（２２０）の第２領域（２２２）を下方向に押圧することにより開口（２１０）を密閉する。このように構成すれば、押圧部（２０）によって、蓋部（２２０）を閉じるだけでなく、蓋部（２２０）を開放することができる。また、蓋部（２２０）を開放する場合と閉じる場合との両方において、押圧部（２０）は同じ下方向に押圧するだけでよいので、押圧部（２０）の構成を簡素化できる。また蓋部（２２０）を閉じる場合に、押圧部（２０）により、蓋部（２２０）を上方から試薬容器（２００）の開口（２１０）に向けて下向きに押圧できるので、より確実に、蓋部（２２０）を完全に閉じて試薬容器（２００）を密閉できる。
【００１１】
上記押圧部（２０）が蓋部（２２０）を下方向に押圧する構成において、好ましくは、押圧部（２０）は、第１領域（２２１）または第２領域（２２２）を下方向に押圧して、第１領域（２２１）と第２領域（２２２）との間の回動中心（２２３）回りに蓋部（２２０）を回動させることにより、蓋部（２２０）を開閉させる。このように構成すれば、第１領域（２２１）を下方向に押圧すれば、開口（２１０）を覆う第２領域（２２２）を回動させて蓋部（２２０）を開くことができる。第２領域（２２２）を下方向に押圧すれば、第２領域（２２２）を回動させて開口（２１０）を塞ぐことができる。したがって、開口（２１０）を覆う第２領域（２２２）と第１領域（２２１）との間に回動中心（２２３）が設けられただけのシンプルな構造の試薬容器（２００）で、蓋部（２２０）の密閉を確実に行うことができる。
【００１２】
この場合、好ましくは、押圧部（２０）は、閉鎖状態の蓋部（２２０）の第１領域（２２１）を下方向に押圧して蓋部（２２０）を開放した後、回動中心（２２３）よりも上方で、開放状態の第２領域（２２２）に接触する上昇位置（Ｈ２）まで上方移動する。このように構成すれば、押圧部（２０）を第２領域（２２２）に確実に接触させることができる。
【００１３】
上記押圧部（２０）が上昇位置（Ｈ２）まで上方移動する構成において、好ましくは、押圧部（２０）は、上昇位置（Ｈ２）において開放状態の第２領域（２２２）と水平方向に接触して蓋部（２２０）を仮閉め位置（ＣＰ）まで回動させた後、仮閉め位置（ＣＰ）における第２領域（２２２）を下方向に押圧して蓋部（２２０）を回動させ、蓋部（２２０）により試薬容器（２００）の開口（２１０）を密閉させる。このように構成すれば、第２領域（２２２）が開放状態で略直立するまで回動された場合にも、上昇位置（Ｈ２）の押圧部（２０）が第２領域（２２２）に水平方向に接触して第２領域（２２２）を仮閉め位置（ＣＰ）まで開口（２１０）側へ回動させることができる。その結果、仮閉め位置（ＣＰ）の第２領域（２２２）を、押圧部（２０）が容易に下方向に押圧して開口（２１０）を密閉できる。
【００１４】
上記押圧部（２０）が第１領域（２２１）と第２領域（２２２）との間の回動中心（２２３）回りに蓋部（２２０）を回動させる構成において、好ましくは、押圧部（２０）は、蓋部（２２０）の開放時に、第１領域（２２１）の回動中心（２２３）からの長さと略等しい量だけ回動中心（２２３）よりも下方に位置する下降位置（Ｈ３）まで下降する。ここで、第１領域（２２１）の回動中心（２２３）からの長さは、回動中心（２２３）回りに回動する第１領域（２２１）の円弧状軌跡の半径に相当する。そのため、押圧部（２０）が半径分だけ回動中心（２２３）よりも下方に位置する下降位置（Ｈ３）まで下降することにより、押圧部（２０）に押された第１領域（２２１）が略真下を向くまで蓋部（２２０）が回動することになる。その結果、蓋部（２２０）の回動量を大きくして開口（２１０）をより大きく開放できるので、試薬吸引時に開放状態の蓋部（２２０）が邪魔にならずに容易に試薬を吸引できる。
【００１５】
上記第１の局面による検体測定装置において、好ましくは、容器保持部（１０）を移動させる保持部駆動部（３３０）をさらに備え、容器保持部（１０）は、押圧部（２０）の下方に蓋部（２２０）の第１領域（２２１）および第２領域（２２２）をそれぞれ配置するように、水平方向に移動する。このように構成すれば、第１領域（２２１）および第２領域（２２２）をそれぞれ押圧するために押圧部（２０）を複数設けたり、押圧部（２０）を水平移動させる機構を設けたりする必要がないので押圧部（２０）の構成を簡素化できる。
【００１６】
この場合、好ましくは、容器保持部（１０）は、複数の試薬容器（２００）を円周方向に並べて保持するように形成され、保持部駆動部（３３０）は、容器保持部（１０）を円周方向に回転移動させて、各々の試薬容器（２００）を押圧部（２０）の下方に配置させる。このように構成すれば、複数の試薬容器（２００）から選択的に試薬を吸引する場合に、個々の試薬容器（２００）に対応させて押圧部（２０）を複数設ける必要がなくなる。その結果、装置構成を簡素化できる。また、試薬容器（２００）を水平面内でＸＹ方向に移動させる場合と比べて、保持部駆動部（３３０）は単に円周方向に試薬容器（２００）を回転移動させればよいので、保持部駆動部（３３０）の構成も簡素化できる。
【００１９】
上記押圧部（２０）がシャッタ機構（３４０）を開放する構成において、好ましくは、押圧部（２０）は、第１領域（２２１）および第２領域（２２２）と接触する下端部（２４）と、下端部（２４）よりも上側に設けられ、シャッタ機構（３４０）と接触する接触面（２３）とを有する。このように構成すれば、下端部（２４）がシャッタ機構（３４０）よりも下方に移動した後で接触面（２３）がシャッタ機構（３４０）を開放させる構造となる。そのため、蓋部（２２０）を開放する直前までシャッタ機構（３４０）を閉じておくことができるので、試薬保冷庫（３００）の温度変化を効果的に抑制できる。
【００２０】
この場合、好ましくは、シャッタ機構（３４０）は、上面部（３１１）に沿って水平方向に移動可能に構成され、接触面（２３）は、下方向移動に伴ってシャッタ機構（３４０）を水平方向に移動させる傾斜面を含む。このように構成すれば、押圧部（２０）が下方向へ移動すると、シャッタ機構（３４０）が傾斜面に接触し、傾斜面に沿って水平方向に押しのけられるようにして、開放される。そのため、接触面（２３）に傾斜面を設ける簡素な構成で、押圧部（２０）の下方向への移動を、シャッタ機構（３４０）の水平方向移動に変換することができる。
【００２１】
上記接触面が傾斜面を含む構成において、好ましくは、シャッタ機構（３４０）は、互いに離れる方向に移動可能に隣接する一対のシャッタ（３４１）を含み、押圧部（２０）は、一対のシャッタ（３４１）の間の位置で上下方向へ移動可能に配置され、接触面（２３）は、押圧部（２０）の同じ上下位置で、各々のシャッタと接触するように押圧部（２０）の両側に設けられたテーパ状の傾斜面を含む。このように構成すれば、押圧部（２０）が、下方向移動に伴って一対のシャッタ（３４１）を互いに反対方向に割り拡げるように移動させて、シャッタ機構（３４０）を開放させることになる。そして、傾斜面が両側の同じ位置に設けられるので、シャッタ（３４１）を一方向のみに移動させる場合と比べて、傾斜面の傾斜角度を大きくしなくても、押圧部（２０）の下降量に対するシャッタ機構（３４０）の開放量を大きくできる。
【００２２】
この場合、好ましくは、一対のシャッタ（３４１）は、それぞれ、互いに一端側の端部でシャッタヒンジ（３４２）により回動可能に連結された柱状部材により構成され、孔部（３１４）は、シャッタの一端側の位置に配置された第１孔部（３１４ａ）と、シャッタの一端側とは反対の他端側の位置に配置され、第１孔部（３１４ａ）よりも大きい第２孔部（３１４ｂ）とを含み、押圧部（２０）が第１孔部（３１４ａ）を通過するように設けられ、試薬分注部（３０）が第２孔部（３１４ｂ）を通過するように設けられている。このように構成すれば、押圧部（２０）が一対のシャッタ（３４１）の回動中心に近い側を通過してシャッタ機構（３４０）を開放し、試薬分注部（３０）が回動中心から遠い側を通過する。そのため、押圧部（２０）が一対のシャッタ（３４１）を所定角度だけ回動させると、試薬分注部（３０）が通過する第２孔部（３１４ｂ）の位置では、回動中心からの距離が大きくなる分だけ一対のシャッタ（３４１）の移動量が大きくなる結果、試薬分注部（３０）の吸引動作を妨げないように第２孔部（３１４ｂ）を大きく開放できる。
【００２３】
上記押圧部（２０）がシャッタ機構（３４０）を開放する構成において、好ましくは、シャッタ機構（３４０）は、孔部（３１４）を閉鎖する方向に付勢する付勢部材（３４３）を含み、押圧部（２０）は、下方移動に伴って付勢部材（３４３）の付勢力に抗してシャッタ機構（３４０）を開放させ、上方移動に伴って付勢部材（３４３）の付勢力によってシャッタ機構（３４０）を閉鎖させる。このように構成すれば、シャッタ機構（３４０）の開放用の駆動源のみならず、シャッタ機構（３４０）の閉鎖用のモータなどの駆動源も設ける必要がなくなるので、装置構成を簡素化できる。
【００２４】
上記押圧部（２０）がシャッタ機構（３４０）を開放する構成において、好ましくは、押圧部（２０）は、開放状態の第２領域（２２２）に接触する上昇位置（Ｈ２）と、上昇位置（Ｈ２）よりも下方で、開放状態の第１領域（２２１）に接触する下降位置（Ｈ３）と、上昇位置（Ｈ２）および下降位置（Ｈ３）の間で、第２領域（２２２）を押圧して蓋部（２２０）を閉鎖させる蓋閉め位置（Ｈ４）と、に上下移動するように構成され、シャッタ機構（３４０）は、押圧部（２０）が上昇位置（Ｈ２）および蓋閉め位置（Ｈ４）に位置する場合に閉鎖され、押圧部（２０）が下降位置（Ｈ３）に位置する場合に開放されるように構成されている。このように構成すれば、蓋部（２２０）が開放される下降位置（Ｈ３）まで押圧部（２０）が下降した場合にだけシャッタ機構（３４０）を開放し、蓋閉めを行う場合にはシャッタ機構（３４０）を閉鎖しておくことができる。そのため、試薬保冷庫（３００）の孔部（３１４）が開放される時間を極力短縮できるので、試薬保冷庫（３００）の温度変化を効果的に抑制できる。
【００２５】
上記第１の局面による検体測定装置において、好ましくは、押圧部（２０）および試薬分注部（３０）は、試薬保冷庫（３００）の外部の上面部（３１１）上に設置されている。このように構成すれば、押圧部（２０）および試薬分注部（３０）が試薬保冷庫（３００）の外部に配置されるので、試薬保冷庫（３００）の容積を極力小さくして冷却効率を向上させることができる。
【００２６】
この発明の第２の局面による試薬容器（２００）は、開口（２１０）を覆う開閉可能な蓋部（２２０）を備え、上記第１の局面による検体測定装置（１００）に用いられる。
【００２７】
上記第２の局面による試薬容器において、好ましくは、開口（２１０）が設けられた容器本体（２３１、２３２、２３３）と、容器本体（２３１、２３２、２３３）に着脱可能に設けられ、開口（２１０）を封止するためのキャップ（２５０）とをさらに備え、蓋部（２２０）は、キャップ（２５０）に代えて容器本体（２３１、２３２、２３３）に着脱可能に構成されている。このように構成すれば、内部に試薬を収容した状態での試薬容器（２００）の輸送時や保管時などにおいて、キャップ（２５０）により、試薬を確実に密封して保管できる。また、キャップ（２５０）により、誤って蓋部（２２０）が開放されてしまうことも防止できる。そして、試薬容器（２００）の開封時に、キャップ（２５０）を蓋部（２２０）に付け替えることができる。これにより、輸送時や保管時を含めて、試薬の蒸発や変性を極力抑制することができる。このように本発明の試薬容器（２００）では、試薬の蒸発や変性を極力抑制できるので、多数回の検体測定に使用可能なように試薬容器（２００）を大容量化した場合にも、測定精度のばらつきなどを効果的に抑制できる点で有効である。
【００２８】
この場合、好ましくは、容器本体（２３１、２３２、２３３）は、蓋部（２２０）を着脱するための取付部（２３４）を有し、蓋部（２２０）は、取付部（２３４）に係合することにより容器本体（２３１、２３２、２３３）を密閉するように構成されている。このように構成すれば、蓋部（２２０）と容器本体（２３１、２３２、２３３）とを別体で設ける場合でも、蓋部（２２０）が取付部（２３４）に係合する構造によって、高い密閉度を容易に確保することができる。
【００２９】
この発明の第３の局面による検体測定方法は、被検体から採取された検体を反応容器（５０）に分注し、試薬保冷庫（３００）に収容され、開口（２１０）を覆う開閉可能な蓋部（２２０）を有する試薬容器（２００）の蓋部（２２０）を開放し、蓋部（２２０）の開放状態において試薬容器（２００）内の試薬を吸引し、上面部（３１１）に孔部（３１４）が形成された試薬保冷庫（３００）の孔部（３１４）を塞ぐシャッタ機構（３４０）を、上面部（３１１）の外部から下降する押圧部（２０）によって開放させ、試薬の吸引後、開口（２１０）を覆う位置に移動された蓋部（２２０）を、押圧部（２０）により開口（２１０）に向けて押圧して開口（２１０）を密閉し、吸引した試薬を反応容器（５０）に分注し、反応容器（５０）に分注された検体および試薬により調製された測定用試料に含まれる成分を検出する。
【００３０】
第３の局面による検体測定方法では、上記のように、試薬の吸引後、開口（２１０）を覆う位置に移動された蓋部（２２０）を、押圧部（２０）により開口（２１０）に向けて押圧して開口（２１０）を密閉する。これにより、蓋部（２２０）を閉じる際に、隙間ができて蓋部（２２０）が僅かに開いた状態になることなく、押圧部（２０）の押圧によって蓋部（２２０）を完全に閉じて試薬容器（２００）を密閉できる。以上により、開閉可能な蓋部（２２０）を備えた試薬容器（２００）から試薬吸引を行う場合に、蓋部（２２０）の開閉動作を行っても蓋部（２２０）による高い密閉度を確保することができる。また、シャッタ機構（３４０）によって試薬を吸引しない場合に試薬保冷庫（３００）の気密性を向上させることができるので、試薬保冷庫（３００）内の温度変化の抑制および冷却効率の向上が図れる。また、蓋部（２２０）を開放する際、押圧部（２０）が下降することによりシャッタ機構（３４０）を開放させるので、シャッタ機構（３４０）を開放するための駆動源を別途設ける必要がない。そのため、シャッタ機構（３４０）を設ける場合の装置構成を簡素化できる。
【００３１】
上記第３の局面による検体測定方法において、好ましくは、押圧部（２０）により、蓋部（２２０）の第１領域（２２１）を下方向に押圧することにより蓋部（２２０）を開放し、押圧部（２０）により、蓋部（２２０）の第２領域（２２２）を下方向に押圧することにより開口（２１０）を密閉する。このように構成すれば、押圧部（２０）によって、蓋部（２２０）を閉じるだけでなく、蓋部（２２０）を開放することができる。また、蓋部（２２０）を開放する場合と閉じる場合との両方において、押圧部（２０）は同じ下方向に押圧するだけでよいので、押圧部（２０）の構成を簡素化できる。また蓋部（２２０）を閉じる場合に、押圧部（２０）により、蓋部（２２０）を上方から試薬容器（２００）の開口（２１０）に向けて下向きに押圧できるので、より確実に、蓋部（２２０）を完全に閉じて試薬容器（２００）を密閉できる。
【００３２】
上記押圧部（２０）が蓋部（２２０）を下方向に押圧する構成において、好ましくは、蓋部（２２０）は、試薬容器（２００）の開口（２１０）を覆う第２領域（２２２）と、第２領域（２２２）から水平方向に突出する第１領域（２２１）との間に配置された水平方向の回動中心（２２３）回りに回動するように構成され、蓋部（２２０）を閉鎖する際、押圧部（２０）により、第２領域（２２２）が開口（２１０）を密閉するまで開口（２１０）に向けて下方向に押圧する。このように構成すれば、第１領域（２２１）を下方向に押圧すれば、開口（２１０）を覆う第２領域（２２２）を回動させて蓋部（２２０）を開くことができる。第２領域（２２２）を下方向に押圧すれば、第２領域（２２２）を回動させて開口（２１０）を塞ぐことができる。したがって、開口（２１０）を覆う第２領域（２２２）と第１領域（２２１）との間に回動中心（２２３）が設けられただけのシンプルな構造の試薬容器（２００）で、蓋部（２２０）の密閉を確実に行うことができる。
【００３３】
この場合、好ましくは、蓋部（２２０）を開放する際、押圧部（２０）に対して試薬容器（２００）を水平方向に相対移動させて第１領域（２２１）を押圧部（２０）の下方に配置し、押圧部（２０）を、第１領域（２２１）の回動中心（２２３）からの長さと略等しい量だけ回動中心（２２３）よりも下方に位置する下降位置（Ｈ３）まで下降させる。ここで、第１領域（２２１）の回動中心（２２３）からの長さは、回動中心（２２３）回りに回動する第１領域（２２１）の円弧状軌跡の半径に相当する。そのため、押圧部（２０）が半径分だけ回動中心（２２３）よりも下方に位置する下降位置（Ｈ３）まで下降することにより、押圧部（２０）に押された第１領域（２２１）が略真下を向くまで蓋部（２２０）が回動することになる。その結果、蓋部（２２０）の回動量を大きくして開口（２１０）をより大きく開放できるので、試薬吸引時に開放状態の蓋部（２２０）が邪魔にならずに容易に試薬を吸引できる。
【００３４】
上記蓋部（２２０）が回動中心（２２３）回りに回動する構成において、好ましくは、蓋部（２２０）を閉鎖する際、押圧部（２０）を、回動中心（２２３）よりも上方で、開放状態の第２領域（２２２）に接触する上昇位置（Ｈ２）まで移動させ、押圧部（２０）に対して試薬容器（２００）を水平方向に相対移動させて押圧部（２０）と第２領域（２２２）とを水平方向に接触させることにより、蓋部（２２０）を仮閉め位置（ＣＰ）まで回動させる。このように構成すれば、第２領域（２２２）が開放状態で略直立するまで回動された場合にも、上昇位置（Ｈ２）の押圧部（２０）が第２領域（２２２）に水平方向に接触して第２領域（２２２）を仮閉め位置（ＣＰ）まで開口（２１０）側へ回動させることができる。その結果、蓋部（２２０）を大きく回動させる場合でも、確実に蓋部（２２０）を密閉できる。
【００３５】
この場合、好ましくは、押圧部（２０）に対して試薬容器（２００）を水平方向に相対移動させて仮閉め位置（ＣＰ）の第２領域（２２２）を押圧部（２０）の下方に配置し、閉鎖状態の第２領域（２２２）の上面位置である蓋閉め位置（Ｈ４）へ押圧部（２０）を下降させて、第２領域（２２２）により開口（２１０）を密閉させる。このように構成すれば、第１領域（２２１）および第２領域（２２２）をそれぞれ押圧するために押圧部（２０）を複数設けたり、押圧部（２０）を水平移動させる機構を設けたりする必要がないので押圧部（２０）の構成を簡素化できる。そして、仮閉め位置（ＣＰ）の第２領域（２２２）を、押圧部（２０）が容易に下方向に押圧して開口（２１０）を密閉できる。
【００３７】
上記蓋部（２２０）が第２領域（２２２）と第１領域（２２１）との間に配置された水平方向の回動中心（２２３）回りに回動する構成において、好ましくは、蓋部（２２０）を閉鎖する際、押圧部（２０）を、回動中心（２２３）よりも上方で、開放状態の第２領域（２２２）に接触する上昇位置（Ｈ２）まで移動させることにより、シャッタ機構（３４０）を閉鎖させる。このように構成すれば、蓋部（２２０）が開放された後、押圧部（２０）が上昇位置（Ｈ２）まで移動して蓋閉めの動作を開始する際には、シャッタ機構（３４０）を閉鎖することができる。そのため、試薬保冷庫（３００）の孔部（３１４）が開放される時間を短縮できるので、試薬保冷庫（３００）の温度変化を効果的に抑制できる。
【００３８】
上記押圧部（２０）を上昇位置（Ｈ２）まで移動させることによりシャッタ機構（３４０）を閉鎖させる構成において、好ましくは、蓋部（２２０）を閉鎖する際、シャッタ機構（３４０）の閉鎖状態を維持したまま、閉鎖状態の第２領域（２２２）の上面位置である蓋閉め位置（Ｈ４）へ押圧部（２０）を下降させて、第２領域（２２２）により開口（２１０）を密閉させる。このように構成すれば、シャッタ機構（３４０）が閉鎖されたままの状態で、蓋閉めの動作を行うことができる。そのため、試薬保冷庫（３００）の孔部（３１４）が開放される時間をさらに短縮できるので、試薬保冷庫（３００）の温度変化をより一層効果的に抑制できる。
【発明の効果】
【００３９】
本発明によれば、開閉可能な蓋部を備えた試薬容器から試薬吸引を行う場合に、蓋部の開閉動作を行っても蓋部による高い密閉度を確保することができる。
【図面の簡単な説明】
【００４０】
【図１】検体測定装置の概要を示した模式図である。
【図２】試薬容器の蓋部の開閉および試薬の吸引動作の流れ（Ａ）〜（Ｅ）を示した図である。
【図３】検体測定装置の構成例を示した模式的な平面図である。
【図４】試薬保冷庫の構成例を示した模式的な斜視図である。
【図５】Ｒ２試薬を収容する試薬容器を示した斜視図である。
【図６】Ｒ１試薬およびＲ３試薬を収容する試薬容器を示した斜視図である。
【図７】容器保持部および保持部駆動部の構成例を示した側面図である。
【図８】試薬保冷庫内部の押圧部周辺の構成を示した模式的な側面図である。
【図９】シャッタ機構の閉鎖状態（Ａ）および開放状態（Ｂ）を示した模式図である。
【図１０】シャッタ機構の他の構成例による閉鎖状態（Ａ）および開放状態（Ｂ）を示した模式図である。
【図１１】シャッタ機構の構成例であって、閉鎖状態を示した図である。
【図１２】図１２のシャッタ機構の開放状態を示した図である。
【図１３】シャッタ機構の他の構成例における閉鎖状態（Ａ）および開放状態（Ｂ）を示した図である。
【図１４】図８の構成例による蓋部の開閉および試薬の吸引動作の流れ（Ａ）〜（Ｅ）を示した図である。
【図１５】検体測定装置の分析処理を説明するための図である。
【図１６】図１５に示した分析処理を説明するためのフローチャートである。
【図１７】蓋部の開閉の変形例を示した図である。
【図１８】試薬容器に対する蓋部およびキャップの着脱を説明するための図である。
【図１９】従来技術を説明するための図である。
【発明を実施するための形態】
【００４１】
以下、実施形態を図面に基づいて説明する。
［検体測定装置の概要］
まず、図１を参照して、一実施形態による検体測定装置１００の概要について説明する。
【００４２】
検体測定装置１００は、被検体から採取された検体に所定の試薬を添加して作製された測定用試料を分析する装置である。
【００４３】
被検体は、主としてヒトであるが、ヒト以外の他の動物であってもよい。検体測定装置１００は、たとえば患者から採取された検体の臨床検査または医学的研究のための分析を行う。検体は、生体由来の検体である。生体由来の検体は、たとえば、被検体から採取された血液（全血、血清または血漿）、尿、またはその他の体液などの液体、あるいは、採取された体液や血液に所定の前処理を施して得られた液体などである。また、検体は、たとえば、液体以外の、被検体の組織の一部や細胞などであってもよい。検体測定装置１００は、検体中に含有される所定の対象成分を検出する。対象成分は、たとえば、血液や尿検体中の所定の成分、細胞や有形成分を含んでもよい。対象成分は、ＤＮＡ（デオキシリボ核酸）などの核酸、細胞および細胞内物質、抗原または抗体、タンパク質、ペプチドなどでもよい。検体測定装置１００は、血球計数装置、血液凝固分析装置、免疫測定装置、尿中有形成分分析装置など、またはこれら以外の分析装置であってよい。
【００４４】
一例としては、検体測定装置１００は、抗原抗体反応を利用して検体中の被検物質を検出する免疫測定装置である。免疫測定装置は、対象成分として、たとえば、血液に含まれる抗原または抗体、タンパク質や、ペプチドなどを検出する。免疫測定装置は、血清または血漿を検体として取得して、検体に含まれる抗原または抗体などを定量測定または定性測定する。なお、抗原抗体反応は、抗原と抗体との反応のみならず、アプタマー等の特異的結合物質を用いた反応を含む。アプタマーは、特定の物質と特異的に結合するように合成された核酸分子またはペプチドである。
【００４５】
検体測定装置１００は、検体に所定の１または複数種類の試薬を添加して、測定用試料を調製する。試薬は、ボトル状の試薬容器２００に収容された状態で、検体測定装置１００にセットされる。試薬の蒸発や変質を抑制するため、試薬容器２００は、容器の上部に設けられた開口２１０と、開口２１０を覆う開閉可能な蓋部２２０を有する。開口２１０は、試薬容器２００の上面において上方に向けて開口している。検体測定装置１００は、閉鎖状態の蓋部２２０を開いて開口２１０を露出させ、開口２１０を介して試薬容器２００内の試薬を吸引する。検体測定装置１００は、吸引した試薬を検体に添加する。試薬の吸引後、検体測定装置１００は、開放状態の蓋部２２０を閉じる。
【００４６】
図１に示すように、検体測定装置１００は、試薬容器２００を保持するための容器保持部１０と、容器保持部１０の上方に配置され、上下方向に移動する押圧部２０と、試薬容器２００内の試薬を吸引する試薬分注部３０と、測定用試料に含まれる成分を検出するための測定部４０と、を備える。
【００４７】
容器保持部１０は、開口２１０を覆う開閉可能な蓋部２２０を有する試薬容器２００を保持するように構成されている。容器保持部１０には、検体測定装置１００によって自動で、またはユーザによって手動で、試薬容器２００がセットされる。容器保持部１０は、セットされた試薬容器２００に接触して支持する部分を含む。容器保持部１０は、図１のように試薬容器２００の下面を支持してもよいし、たとえば側面を挟んで支持してもよいし、試薬容器２００を上方から吊り下げるように支持してもよい。容器保持部１０は、試薬容器２００の所定箇所に設けられた係合部（図示せず）を容器保持部１０の支持する部分に引っかける態様で試薬容器２００を保持してもよい。
【００４８】
容器保持部１０は、試薬容器２００を、押圧部２０および試薬分注部３０の直下の位置に保持できる。押圧部２０により、試薬容器２００の蓋部２２０が閉じられる。図１の構成例では、押圧部２０は、後述するように蓋部２２０を開放することもできるが、蓋部２２０を開放するための押圧部を押圧部２０とは別に設けてもよい。試薬分注部３０により、試薬容器２００内の試薬が吸引される。位置合わせのため、容器保持部１０と、押圧部２０および試薬分注部３０とのうち、一方または両方が水平方向に移動可能であってもよい。
【００４９】
押圧部２０は、蓋部２２０を押圧して、開放状態の蓋部２２０を閉じる。押圧部２０は、による蓋部２２０に対する押圧方向は、特に限定されない。押圧部２０は、蓋部２２０を上方から下向きに押圧してもよいし、後述するように第１領域２２１を下方から上向きに押圧してもよい。図１の構成例では、押圧部２０は、容器保持部１０に保持された試薬容器２００の上方位置に配置され、上下方向に移動する。これにより、押圧部２０は、蓋部２２０の一部を上方から押圧して、閉鎖状態の蓋部２２０を開いたり、開放状態の蓋部２２０を閉じたりする。押圧部２０は、たとえば、蓋部２２０を押圧するための押圧片を含んで構成される。押圧部２０は、たとえばピン、爪、ロッドなどであり、蓋部２２０の上面の一部と接触する部分を有する。押圧部２０は、押圧部２０を上下方向に移動させるための駆動源により動作する。駆動源には、リニアアクチュエータが用いられる。駆動源には、たとえばエアシリンダ、油圧シリンダなどの動力シリンダ、ソレノイドなどを用いることができる。駆動源には、モータと、モータの回転を直線運動に変換する機構と、からなる直動機構を用いることができる。回転を直線運動に変換する機構は、たとえばカム機構、ラックアンドピニオン機構、ベルトプーリ機構などである。
【００５０】
試薬分注部３０は、蓋部２２０の開放状態において試薬容器２００内の試薬を吸引し、吸引した試薬を反応容器５０に分注するように構成されている。試薬分注部３０は、開口２１０を介して試薬容器２００の内部に進入できるように構成された吸引管３０ａを備える。吸引管３０ａは、容器保持部１０に保持された試薬容器２００の上方位置に配置され、上下方向に移動する。また、試薬分注部３０は、たとえば、吸引管３０ａにより試薬を吸引し、吸引した試薬を反応容器５０に吐出するための送液機構（図示せず）を備える。送液機構は、たとえばポンプを含み、試薬を定量することが可能なシリンダポンプやダイアフラムポンプなどの定量ポンプが好ましい。試薬を定量するためには、非定量のポンプと定量チャンバとを組み合わせてもよい。吸引管３０ａは、試薬吸引用と、試薬吐出用とで別々に設けられていてもよい。共通の吸引管３０ａで試薬吸引と試薬吐出とを両方行う場合、吸引管３０ａと、試薬容器２００および反応容器５０とのうち、一方または両方が水平方向に移動可能であってもよい。
【００５１】
測定部４０は、反応容器５０に分注された検体および試薬により調製された測定用試料に含まれる成分を検出するように構成されている。測定部４０による対象成分の検出方法は問わず、化学的方法、光学的方法、電磁気学的方法などの対象成分に応じた方法が採用できる。検体測定装置１００は、測定部４０の検出結果に基づいて、たとえば対象成分の有無、対象成分の数または量、対象成分の濃度や存在比率などを分析する。たとえば蛍光、反射光または拡散光、色などの光学的な検出を行う場合、測定部４０として、光電子増倍管、分光光度計、ルミノメータなどが利用できる。また、放射性同位体を標識として用いる場合、測定部４０としてシンチレーションカウンターなどが利用できる。
【００５２】
次に、図１の例による検体測定装置１００における試薬の吸引動作について説明する。本実施形態では、押圧部２０は、開口２１０を覆う位置に移動された蓋部２２０を、開口２１０に向けて押圧して開口２１０を密閉するように構成されている。つまり、蓋部２２０の表面が開口２１０の縁部と当接することにより、開口２１０が隙間なく閉じられる。これにより、検体測定装置１００は、蓋部２２０を開放した後、蓋部２２０を確実に閉鎖する。吸引動作は、図２（Ａ）〜（Ｅ）に示した順で実行される。
【００５３】
図２（Ａ）において、容器保持部１０に保持された試薬容器２００は、押圧部２０の直下の位置に配置されている。蓋部２２０は閉鎖状態となっている。
【００５４】
図２（Ｂ）において、検体測定装置１００は、試薬容器２００の蓋部２２０を開放する。
【００５５】
図２（Ｃ）において、検体測定装置１００は、蓋部２２０の開放状態において試薬容器２００内の試薬を吸引する。すなわち、試薬分注部３０が、開口２１０を介して試薬容器２００内に進入し、試薬容器２００内の試薬を吸引する。
【００５６】
図２（Ｄ）において、検体測定装置１００は、試薬容器２００の蓋部２２０を、開口２１０を覆う位置に移動させる。たとえば蓋部２２０は自重により開口２１０側に移動する。蓋部２２０を開口２１０側に付勢するための付勢部材などを設けてもよい。しかし、開口２１０を覆う位置へ向けて蓋部２２０を移動させただけでは、図２（Ｄ）のように、蓋部２２０が完全には閉まらずに隙間ができる可能性がある。
【００５７】
図２（Ｅ）において、検体測定装置１００は、試薬の吸引後、押圧部２０により、開口２１０を覆う位置に移動された蓋部２２０を、開口２１０に向けて押圧して開口２１０を密閉する。すなわち、図２（Ｄ）の位置にある蓋部２２０を押圧部２０が開口２１０側に押圧して、蓋部２２０を開口２１０に押し付ける。その結果、図２（Ｅ）のように、開口２１０が蓋部２２０により確実に密閉される。
【００５８】
上記のように、本実施形態の検体測定装置１００では、開口２１０を覆う位置に移動された蓋部２２０を、開口２１０に向けて押圧して開口２１０を密閉するための押圧部２０を設ける。これにより、蓋部２２０を閉じる際に、隙間ができて蓋部２２０が僅かに開いた状態になることなく、押圧部２０の押圧によって蓋部２２０を完全に閉じて試薬容器２００を密閉できる。以上により、開閉可能な蓋部２２０を備えた試薬容器２００から試薬吸引を行う場合に、蓋部２２０の開閉動作を行っても蓋部２２０による高い密閉度を確保することができる。
【００５９】
なお、図１および図２の構成例では、押圧部２０によって、蓋部２２０の開放も行うことが可能である。
【００６０】
具体的には、図２（Ｂ）において、検体測定装置１００は、試薬容器２００の第１領域２２１を押圧部２０により下方向に押圧することによって蓋部２２０を開放する。蓋部２２０は、第１領域２２１が下方向に押圧されるのに伴って開口２１０から離れる方向に移動する。その結果、開口２１０が開放される。
【００６１】
蓋部２２０を閉じる際には、図２（Ｄ）において、押圧部２０が上方向に移動する。この際、第１領域２２１を押圧していた押圧部２０が上方向に移動するのに伴って蓋部２２０は自重により開口２１０側に移動する。図２（Ｅ）において、検体測定装置１００は、試薬の吸引後、蓋部２２０の第２領域２２２を押圧部２０により下方向に押圧することによって開口２１０を密閉する。すなわち、押圧部２０が、蓋部２２０の第２領域２２２を開口２１０に向けて下方向に押圧して、蓋部２２０により開口２１０側に押し付ける。
【００６２】
このように、図１および図２の構成例では、押圧部２０は、蓋部２２０の上方から、蓋部２２０の第１領域２２１を下方向に押圧することにより蓋部２２０を開放し、蓋部２２０の第２領域２２２を下方向に押圧することにより開口２１０を密閉する。これにより、押圧部２０によって、蓋部２２０を閉じるだけでなく、蓋部２２０を開放することができる。また、蓋部２２０を開放する場合と閉じる場合との両方において、押圧部２０は同じ下方向に押圧するだけでよいので、押圧部２０の構成を簡素化できる。また蓋部２２０を閉じる場合に、押圧部２０により、蓋部２２０を上方から試薬容器２００の開口２１０に向けて下向きに押圧できるので、より確実に、蓋部２２０を完全に閉じて試薬容器２００を密閉できる。
【００６３】
また、図１および図２の構成例では、押圧部２０は、蓋部２２０を押圧して、蓋部２２０に形成された突起部２２４を開口２１０に嵌合させることにより、開口２１０を密閉する。突起部２２４は、蓋部２２０の開口２１０側の表面に開口２１０側に突出するように設けられている。突起部２２４は、開口２１０と蓋部２２０との間を塞ぐ栓体として機能する。たとえば図２（Ｄ）の状態では、突起部２２４が開口２１０内に完全に嵌っておらず、隙間が形成されている。そこで、図２（Ｅ）のように、押圧部２０の押圧によって、突起部２２４が開口２１０内に嵌合する。突起部２２４は、嵌合により、開口２１０の内周面と当接する。この構成により、押圧部２０によって突起部２２４が開口２１０に嵌るまで蓋部２２０を押圧できるので、突起部２２４と開口２１０との嵌合によって気密性を向上させることができる。密閉度を高めるために突起部２２４と開口２１０との嵌め合いをきつくすると、図２（Ｄ）の状態となりやすくなるので、押圧部２０による押圧が特に有効である。
【００６４】
つぎに、本実施形態の検体測定装置１００により実施される検体測定方法について簡単に説明する。検体測定方法は、以下のステップ（１）〜（６）を含む。
（１）被検体から採取された検体を反応容器５０に分注する。
（２）開口２１０を覆う開閉可能な蓋部２２０を有する試薬容器２００の蓋部２２０を開放する。
（３）蓋部２２０の開放状態において試薬容器２００内の試薬を吸引する。
（４）試薬の吸引後、開口２１０を覆う位置に移動された蓋部２２０を、押圧部２０により開口２１０に向けて押圧して開口２１０を密閉する。
（５）吸引した試薬を反応容器５０に分注する。
（６）反応容器５０に分注された検体および試薬により調製された測定用試料に含まれる成分を検出する。
【００６５】
検体測定方法において、（２）〜（４）は、図２に示したように一連の動作であり、この順に実施される。（５）吸引した試薬の分注は、（３）試薬の吸引の後に実施されるが、たとえば（４）蓋部２２０の閉鎖と並行して実施されてもよい。（１）検体の分注は、（２）〜（５）の前後いずれかに実施されてもよいし、（２）〜（５）と並行して実施されてもよい。（６）測定用試料に含まれる成分の検出は、（１）〜（５）の後に実施される。
【００６６】
本実施形態の検体測定方法では、上記のように、試薬の吸引後、開口２１０を覆う位置に移動された蓋部２２０を、押圧部２０により開口２１０に向けて押圧して開口２１０を密閉する。これにより、蓋部２２０を閉じる際に、図２（Ｄ）のように隙間ができて蓋部２２０が僅かに開いた状態になることなく、押圧部２０の押圧によって蓋部２２０を完全に閉じて試薬容器２００を密閉できる。以上により、開閉可能な蓋部２２０を備えた試薬容器２００から試薬吸引を行う場合に、蓋部２２０の開閉動作を行っても蓋部２２０による高い密閉度を確保することができる。
【００６７】
（試薬容器）
図２の例では、試薬容器２００の蓋部２２０は、試薬容器２００の開口２１０から側方に突出した第１領域２２１と、開口２１０を覆うように形成された第２領域２２２と、を有し、第１領域２２１と第２領域２２２との間の回動中心２２３回りに回動可能に構成されている。回動中心２２３は、たとえば、試薬容器２００の容器本体２３０と蓋部２２０とを相対回転可能に接続するヒンジである。
【００６８】
押圧部２０は、第１領域２２１または第２領域２２２を下方向に押圧して、第１領域２２１と第２領域２２２との間の回動中心２２３回りに蓋部２２０を回動させることにより、蓋部２２０を開閉させる。これにより、第１領域２２１を下方向に押圧すれば、開口２１０を覆う第２領域２２２を回動させて蓋部２２０を開くことができる。第２領域２２２を下方向に押圧すれば、第２領域２２２を回動させて開口２１０を塞ぐことができる。したがって、開口２１０を覆う第２領域２２２と第１領域２２１との間に回動中心２２３が設けられただけのシンプルな構造の試薬容器２００で、蓋部２２０の密閉を確実に行うことができる。
【００６９】
また、図２の例による検体測定方法では、蓋部２２０は、試薬容器２００の開口２１０を覆う第２領域２２２と、第２領域２２２から水平方向に突出する第１領域２２１との間に配置された水平方向の回動中心２２３回りに回動するように構成され、蓋部２２０を閉鎖する際、押圧部２０により、第２領域２２２が開口２１０を密閉するまで開口２１０に向けて下方向に押圧する。これにより、第１領域２２１を下方向に押圧すれば、開口２１０を覆う第２領域２２２を回動させて蓋部２２０を開くことができる。第２領域２２２を下方向に押圧すれば、第２領域２２２を回動させて開口２１０を塞ぐことができる。したがって、開口２１０を覆う第２領域２２２と第１領域２２１との間に回動中心２２３が設けられただけのシンプルな構造の試薬容器２００で、蓋部２２０の密閉を確実に行うことができる。
【００７０】
（押圧部による蓋部の押圧の変形例）
図１および図２では、押圧部２０が蓋部２２０を開口２１０に向けて下方向に押圧する例を示したが、図１７の例では、押圧部２０が蓋部２２０を開口２１０に向けて水平方向に押圧する。
【００７１】
図１７の例では、蓋部２２０は、閉鎖状態で、開口２１０を覆う第２領域２２２と、第２領域２２２から上方向に延びる第１領域２２９と、第２領域２２２と第１領域２２９との間に配置された回動中心２２３とを有する。図１７（Ａ）および（Ｂ）のように、押圧部２０は、第１領域２２９を図中左側へ水平方向に押圧して蓋部２２０を開放する。図１７（Ｃ）および（Ｄ）のように、押圧部２０は、第２領域２２２を図中右側へ水平方向に押圧して、開口２１０を覆う位置まで蓋部２２０を移動させる。図１７（Ｅ）のように、押圧部２０は、開口２１０を覆う位置に移動された蓋部２２０に対して、第１領域２２９を図中右側へ水平方向に押圧する。これにより、蓋部２２０が開口２１０に向けて押圧され開口２１０が密閉される。
【００７２】
［検体測定装置の具体的な構成例］
次に、図３〜図１６を参照して、検体測定装置１００の具体的な構成例について詳細に説明する。図３〜図１６の例では、検体測定装置１００は、抗原抗体反応を利用して検体中の被検物質を検出する免疫測定装置である。
【００７３】
検体測定装置１００は、容器保持部１０、試薬分注部３０および測定部４０を備える。また、図３の構成例では、検体測定装置１００は、筐体１１０と、検体搬送部１２０と、検体分注部１３０と、反応容器供給部１４０と、反応容器移送部１５０と、反応部１６０と、試薬容器移送部１７０と、ＢＦ分離部１８０と、を備える。また、検体測定装置１００は、以上の各部の制御を行うための制御部４００を備える。
【００７４】
筐体１１０は、検体測定装置１００の各部を内部に収容可能な箱状形状を有する。筐体１１０は、単一階層上に検体測定装置１００の各部を収容する構成であってもよいし、上下方向に複数の階層が設けられた階層構造を有し、検体測定装置１００の各部をそれぞれの階層に割り当てて配置してもよい。
【００７５】
検体搬送部１２０は、被検体から採取された検体を、検体分注部１３０による吸引位置まで搬送するように構成されている。検体搬送部１２０は、検体を収容した試験管が複数設置されたラックを所定の検体吸引位置まで搬送できる。
【００７６】
検体分注部１３０は、検体搬送部１２０により搬送された検体を吸引し、吸引した検体を反応容器５０に分注する。検体分注部１３０は、吸引および吐出を行うための流体回路に接続されたピペットと、ピペットを移動させる移動機構とを含む。検体分注部１３０は、図示しないチップ供給部にセットされた分注チップをピペットの先端に装着して、搬送された試験管中の検体を分注チップ内に所定量吸引する。検体分注部１３０は、吸引した検体を所定の検体分注位置に配置された反応容器５０に分注する。分注後、検体分注部１３０は、分注チップをピペットの先端から取り外して廃棄する。
【００７７】
反応容器供給部１４０は、複数の反応容器５０を貯留している。反応容器供給部１４０は、所定の反応容器供給位置において、反応容器移送部１５０に反応容器５０を１つずつ供給できる。
【００７８】
反応容器移送部１５０は、反応容器５０を移送する。反応容器移送部１５０は、反応容器供給位置から反応容器５０を取得し、検体分注部１３０、試薬分注部３０、反応部１６０、測定部４０などの各々の処理位置に反応容器５０を移送する。反応容器移送部１５０は、たとえば反応容器５０を把持するキャッチャまたは反応容器５０の設置穴を有する保持部と、キャッチャまたは保持部を移動させる移動機構とにより構成される。移動機構は、たとえば１または複数の直線移動可能な直動機構により、１軸または複数軸方向に移動する。移動機構は、回転軸回りに水平回転するアーム機構や、多関節ロボット機構を含んでいてもよい。反応容器移送部１５０は、１つまたは複数設けられる。
【００７９】
反応部１６０は、ヒーターおよび温度センサを備え、反応容器５０を保持して反応容器５０に収容された試料を加温して反応させる。加温により、反応容器５０内に収容された検体および試薬が反応する。反応部１６０は、筐体１１０内に１つまたは複数設けられる。反応部１６０は、筐体１１０に固定的に設置されていてもよいし、筐体１１０内で移動可能に設けられていてもよい。反応部１６０が移動可能に構成される場合、反応部１６０は、反応容器移送部１５０の一部としても機能しうる。
【００８０】
図３の構成例では、検体測定装置１００は、容器保持部１０を収容する箱状の試薬保冷庫３００を備える。図４に示すように、容器保持部１０は、試薬保冷庫３００の断熱機能を有するケース３１０内に設けられている。試薬保冷庫３００は、ケース３１０内に容器保持部１０と冷却機構３２０とを有し、容器保持部１０にセットされた試薬容器２００内の試薬を保管に適した一定温度に保冷する。
【００８１】
ケース３１０は、円形状の上面部３１１および底面部３１２と、円筒状の側面部３１３とにより区画された内部空間を有する。上面部３１１、底面部３１２および側面部３１３は、断熱材を含んでおり、ケース３１０の内部と外部とを断熱する。これにより、試薬容器２００を冷温保管することができる。
【００８２】
試薬保冷庫３００は、押圧部２０および試薬分注部３０が試薬保冷庫３００の内部へ進入するための孔部３１４を有する上面部３１１を有する。これにより、押圧部２０および試薬分注部３０を試薬保冷庫３００の外部に配置できる。そのため、試薬保冷庫３００の容積を極力小さくして冷却効率を向上させることができる。
【００８３】
容器保持部１０は、複数の試薬容器２００を円周方向に並べて保持するように形成されている。図４の構成例では、容器保持部１０は、円環状の外周側の第１試薬保持部１１と、円形状の内周側の第２試薬保持部１２とを含む。第１試薬保持部１１と第２試薬保持部１２とは、同心状に配置されていて、互いに独立して回転できる。外周側の第１試薬保持部１１は、試薬容器２０１を複数保持できる。内周側の第２試薬保持部１２は、試薬容器２０２を複数保持できる。
【００８４】
図５および図６に示す各構成例では、試薬容器２０１は、後述するＲ２試薬を収容する容器本体２３２を含む。試薬容器２０２は、後述するＲ３試薬を収容する容器本体２３３と、Ｒ１試薬を収容する容器本体２３１とが、１組に連結された多連タイプの試薬容器である。容器本体２３１、容器本体２３２、容器本体２３３の各々には、開口２１０が設けられている。試薬容器２００（２０１、２０２）は、容器本体２３１、２３２、２３３に着脱可能に設けられ、開口２１０を封止するためのキャップ２５０（図６では図示省略）を備えている。キャップ２５０は、開閉可能に構成されておらず、容器本体２３１、２３２、２３３から取り外されない限り、容器本体２３１、２３２、２３３を密封できる。
【００８５】
図１８に示すように、蓋部２２０は、キャップ２５０に代えて容器本体２３１、２３２、２３３に着脱可能に構成されている。試薬容器２００（２０１、２０２）は、輸送時や保管時などでは、容器本体２３１、２３２、２３３にキャップ２５０を装着した状態とされ、蓋部２２０は試薬容器２００に添付される。そして、検体測定装置１００の容器保持部１０に設置される際に、ユーザによりキャップ２５０が取り外されて、蓋部２２０に付け替えられる。これにより、内部に試薬を収容した状態での試薬容器２００の輸送時や保管時などにおいて、キャップ２５０により試薬を確実に密封して保管できる。また、キャップ２５０により、誤って蓋部２２０が開放されてしまうことも防止できる。そして、試薬容器２００の開封時に、キャップ２５０を蓋部２２０に付け替えることができる。これにより、輸送時や保管時を含めて、試薬の蒸発や変性を極力抑制することができる。このように試薬容器２００（２０１、２０２）では、試薬の蒸発や変性を極力抑制できるので、多数回の検体測定に使用可能なように試薬容器２００を大容量化した場合にも、測定精度のばらつきなどを効果的に抑制できる点で有効である。
【００８６】
図１８の例では、容器本体２３１、２３２、２３３は、蓋部２２０を着脱するための取付部２３４を有する。蓋部２２０は、取付部２３４に係合することにより容器本体２３１、２３２、２３３を密閉するように構成されている。蓋部２２０には、取付部２３４に嵌る係合部２２５が設けられている。取付部２３４と係合部２２５とは、ねじ構造により係合するように構成されている。キャップ２５０にも同様に、取付部２３４と係合するねじ構造の係合部２５１が設けられている。これにより、蓋部２２０と容器本体２３１、２３２、２３３とを別体で設ける場合でも、蓋部２２０が取付部２３４に係合する構造によって、高い密閉度を容易に確保することができる。
【００８７】
図５および図６に戻り、試薬容器２０１および試薬容器２０２は、それぞれ、容器本体の上部を覆う上部カバー２４０を備える。上部カバー２４０は、容器本体の側面の一部を覆うように容器本体の側面に沿う外周部２４１を有し、外周部２４１の下端部に、容器保持部１０と係合するための係合部２４２が設けられている。図４に示したように、容器保持部１０は、試薬容器２０１および試薬容器２０２を挿入するための保持孔１３を有している。保持孔１３の内周縁部に、係合部２４２を下側から支持する受け面１４が設けられている。これにより、容器保持部１０は、試薬容器２０１および試薬容器２０２の容器本体を保持孔１３内に挿入した状態で、受け面１４上に上部カバー２４０の係合部２４２を係合させて、試薬容器２０１および試薬容器２０２を吊り下げ状態で保持（図４および図８参照）する。図５および図６の構成例において、上部カバー２４０は、被把持部２４３を有する。試薬容器移送部１７０（図３参照）が、図示しないハンド機構により被把持部２４３を掴んで試薬容器２０１および試薬容器２０２を持ち上げ、第１試薬保持部１１および第２試薬保持部１２の保持孔１３にそれぞれセットできる。
【００８８】
図４の構成例において、第１試薬保持部１１に保持された複数の試薬容器２０１の各々は、同一円周上に並んで配置されている。第２試薬保持部１２に保持された複数の試薬容器２０２の各々は、同一円周上に並んで配置されている。複数の試薬容器２０２の各々の容器本体２３１、２３３は、それぞれ異なる円周上に並んで配置されている。容器保持部１０において、容器本体２３２、容器本体２３３、容器本体２３１の各々は、半径方向の異なる位置に配置されている。そのため、図３に示したように、ケース３１０の上面部３１１には、Ｒ１試薬〜Ｒ３試薬のそれぞれの吸引位置に対応する孔部３１４が、対応する試薬容器が配列された円周上の所定位置に重なるように、３箇所に設けられている。
【００８９】
検体測定装置１００は、容器保持部１０を移動させる保持部駆動部３３０を備える。保持部駆動部３３０は、たとえばステッピングモータやサーボモータなどの駆動源である。具体的には、図７に示すように、外周側の第１試薬保持部１１を円周方向に回転駆動する保持部駆動部３３１と、内周側の第２試薬保持部１２を円周方向に回転駆動する保持部駆動部３３２とが、試薬保冷庫３００の底面部３１２の外部の下方位置に設けられている。保持部駆動部３３２は、第２試薬保持部１２の中心に接続され上下に延びる回転軸３３３を回転駆動することにより、第２試薬保持部１２を回転させる。回転軸３３３は、下端部が保持部駆動部３３２に連結され、上端部が第２試薬保持部１２の中心に連結されている。
【００９０】
保持部駆動部３３１は、伝達機構３３４を介して第１試薬保持部１１に連結されたベース板３３５を回転駆動することにより、第１試薬保持部１１を回転させる。ベース板３３５は、カップリング３３６を介して、伝達機構３３４に連結されている。ベース板３３５およびカップリング３３６は、中央に回転軸３３３を通す貫通孔が設けられており、回転軸３３３とは独立して回転する。これにより、保持部駆動部３３１と、保持部駆動部３３２とが、それぞれ、外周側の第１試薬保持部１１と、内周側の第２試薬保持部１２とを独立して回転駆動させる。
【００９１】
図８は、試薬保冷庫３００の上面部３１１近傍の模式的な側面図を示しており、図８中、上面部３１１よりも下側が試薬保冷庫３００の内部領域になる。図８の構成例では、押圧部２０および試薬分注部３０は、試薬保冷庫３００の外部の上面部３１１上に設置されている。これにより、押圧部２０および試薬分注部３０が試薬保冷庫３００の外部に配置されるので、試薬保冷庫３００の容積を極力小さくして冷却効率を向上させることができる。
【００９２】
Ｒ１試薬〜Ｒ３試薬に対応する３つの孔部３１４（図３参照）は、それぞれ、押圧部２０を通過させるための第１孔部３１４ａと、試薬分注部３０を通過させるための第２孔部３１４ｂとを含んでいる。押圧部２０および試薬分注部３０は、上面部３１１の上方から、対応する第１孔部３１４ａおよび第２孔部３１４ｂをそれぞれ通過して、容器保持部１０に保持された試薬容器２００にアクセスする。
【００９３】
押圧部２０は、上下方向に延びる柱状形状を有する。押圧部２０は、ガイド部２１によって上下方向に直線移動するように案内される。押圧部２０は、試薬保冷庫３００の上面部３１１に設置さた押圧部駆動部２２により、上下方向に移動される。押圧部駆動部２２の構成は、特に限定されない。たとえば、エアシリンダ、ソレノイド、リニアモータなどの直動機構によって、押圧部２０および押圧部駆動部２２を一体化した構成としてもよい。エアシリンダの場合、ロッド部を押圧部２０とし、空気圧が供給されるシリンダ部が押圧部駆動部２２となる。また、押圧部駆動部２２は、出力軸を回転させるモータにより構成してもよい。この場合、押圧部駆動部２２と押圧部２０とは、出力軸の回転を上下方向の直線運動に変換する変換機構を介して接続される。変換機構は、たとえばカム機構、ラック−ピニオン機構、ベルト−プーリ機構などである。押圧部駆動部２２が試薬保冷庫３００の外部に設置されているため、押圧部２０の作動に伴う発熱に起因する試薬保冷庫３００内の温度変化を抑制できる。
【００９４】
なお、図８の構成例では、容器保持部１０は、押圧部２０の下方に蓋部２２０の第１領域２２１および第２領域２２２をそれぞれ配置するように、水平方向に移動する。押圧部２０は、上面部３１１上で水平移動不能に設けられている。これにより、第１領域２２１および第２領域２２２をそれぞれ押圧するために押圧部２０を複数設けたり、押圧部２０を水平移動させる機構を設けたりする必要がないので、押圧部２０の構成を簡素化できる。
【００９５】
具体的には、保持部駆動部３３０が、容器保持部１０を円周方向に回転移動させて、各々の試薬容器２００を押圧部２０の下方に配置させる。これにより、複数の試薬容器２００から選択的に試薬を吸引する場合に、個々の試薬容器２００に対応させて押圧部２０を複数設ける必要がなくなる。その結果、装置構成を簡素化できる。また、試薬容器２００を水平面内でＸＹ方向に移動させる場合と比べて、保持部駆動部３３０は単に円周方向に試薬容器２００を回転移動させればよいので、保持部駆動部３３０の構成も簡素化できる。
【００９６】
また、図８の構成例では、検体測定装置１００は、試薬保冷庫３００の孔部３１４を開閉するためのシャッタ機構３４０を備える。シャッタ機構３４０は、３箇所の孔部３１４（図３参照）の各々に１つずつ設けられ、第１孔部３１４ａおよび第２孔部３１４ｂを開閉できる。シャッタ機構３４０は、試薬保冷庫３００の内部に設けられている。シャッタ機構３４０は、上面部３１１の内面側に設けられている。シャッタ機構３４０によって試薬を吸引しない場合に試薬保冷庫３００の気密性を向上させることができるので、試薬保冷庫３００内の温度変化の抑制および冷却効率の向上が図れる。
【００９７】
試薬分注部３０は、蓋部２２０の開放状態において試薬容器２００内の試薬を吸引し、吸引した試薬を反応容器５０に分注する。試薬分注部３０は、試薬の吸引および吐出を行うための吸引管３０ａを、第２孔部３１４ｂと、所定の試薬分注位置（図３参照）との間で水平方向に移動できる。また、試薬分注部３０は、吸引管３０ａを上下方向に移動させ、第２孔部３１４ｂの上方から第２孔部３１４ｂを通過させて試薬容器２００の内部に進入させることができ、第２孔部３１４ｂの上方位置まで吸引管３０ａを退避させることができる。吸引管３０ａは、図示しない流体回路と接続され、容器保持部１０の試薬容器２００から所定量の試薬を吸引し、試薬分注位置に移送された反応容器５０に試薬を分注する。
【００９８】
吸引管３０ａは、液面センサ３０ｂに接続されている。液面センサ３０ｂは、制御部４００に接続されており、試薬容器２００から試薬を吸引する際、試薬の液面と吸引管３０ａとの接触による静電容量の変化に基づいて試薬液面を検知して、検知結果を制御部４００に出力する。また、制御部４００は、試薬分注部３０の動作量を監視することによって、吸引管３０ａの上下方向の移動量を監視する。
【００９９】
試薬分注部３０は、たとえば、Ｒ１試薬〜Ｒ３試薬の各々の分注用に、３つ設けられる。１つの試薬分注部３０によって、複数種類の試薬を分注してもよい。図３に示した構成例では、試薬分注部３０は、Ｒ１試薬を分注するための第１試薬分注部３１と、Ｒ２試薬を分注するための第２試薬分注部３２と、Ｒ３試薬を分注するための第３試薬分注部３３と、を含む。また、試薬分注部３０は、Ｒ４試薬を分注するための第４試薬分注部３４およびＲ５試薬を分注するための第５試薬分注部３５を含む。
【０１００】
第１試薬分注部３１は、Ｒ１試薬を吸引するための最も内周側の孔部３１４と、所定のＲ１試薬分注位置との間で吸引管３０ａを移動できる。第２試薬分注部３２は、Ｒ２試薬を吸引するための最も外周側の孔部３１４と、所定のＲ２試薬分注位置との間で吸引管３０ａを移動できる。第３試薬分注部３３は、Ｒ３試薬を吸引するための径方向中間位置の孔部３１４と、所定のＲ３試薬分注位置との間で吸引管３０ａを移動できる。第４試薬分注部３４および第５試薬分注部３５は、それぞれＲ４試薬およびＲ５試薬を収容した試薬容器（図示せず）と送液チューブを介して接続されており、反応容器移送部１５０によって移送された反応容器５０中に試薬を吐出できる。
【０１０１】
図３に戻り、ＢＦ分離部１８０は、反応容器５０から、液相と固相とを分離するＢＦ分離処理を実行する機能を有する。ＢＦ分離部１８０は、それぞれ反応容器を設置可能な処理ポートを１つまたは複数含む。処理ポートには、Ｒ２試薬に含まれる磁性粒子を集磁するための磁力源１８２（図１５参照）と、液相の吸引および洗浄液の供給を行うための洗浄部１８１（図１５参照）とが設けられている。ＢＦ分離部１８０は、後述する免疫複合体が形成された磁性粒子を集磁した状態で、洗浄部１８１により反応容器５０内の液相を吸引して洗浄液を供給する。洗浄部１８１は、液相の吸引通路と洗浄液の吐出通路とを備え、図示しない流体回路に接続されている。これにより、液相に含まれる不要な成分を免疫複合体と磁性粒子との結合体から分離して除去できる。
【０１０２】
測定部４０は、光電子増倍管などの光検出器４０ａ（図１５参照）を含む。測定部４０は、各種処理が行なわれた検体の抗原に結合する標識抗体と発光基質との反応過程で生じる光を光検出器４０ａで取得することにより、その検体に含まれる抗原の量を測定する。
【０１０３】
制御部４００は、ＣＰＵなどのプロセッサ４０１と、ＲＯＭ、ＲＡＭおよびハードディスクなどの記憶部４０２とを含む。プロセッサ４０１は、記憶部４０２に記憶された制御プログラムを実行することにより、検体測定装置１００の制御部として機能する。制御部４００は、上述した検体測定装置１００の各部の動作を制御する。
【０１０４】
（シャッタ機構の開閉構造）
図９〜図１２を参照して、押圧部およびシャッタ機構の構成例を示す。
【０１０５】
図９の構成例では、図９（Ａ）から図９（Ｂ）のように、押圧部２０は、下方向の移動に伴ってシャッタ機構３４０と接触してシャッタ機構３４０を開放する。これにより、蓋部２２０を開放する際、押圧部２０が下降することによりシャッタ機構３４０を開放させるので、シャッタ機構３４０を開放するための駆動源を別途設ける必要がない。そのため、シャッタ機構３４０を設ける場合の装置構成を簡素化できる。図９の構成例では、シャッタ機構３４０には、開閉のための専用の駆動源は設けられていない。駆動源に起因する発熱が発生しないため、図８のように上面部３１１の内面側にシャッタ機構３４０を設けても、開閉に伴って試薬保冷庫３００の庫内温度を上昇させることが回避できる。
【０１０６】
図９の構成例では、押圧部２０は、第１領域２２１および第２領域２２２と接触する下端部２４と、下端部２４よりも上側に設けられ、シャッタ機構３４０と接触する接触面２３とを有する。押圧部２０は、下降する際に接触面２３によってシャッタ機構３４０を押圧することにより、シャッタ機構３４０を開放させる。これにより、下端部２４がシャッタ機構３４０よりも下方に移動した後で接触面２３がシャッタ機構３４０を開放させる構造となる。そのため、蓋部２２０を開放する直前までシャッタ機構３４０を閉じておくことができるので、試薬保冷庫３００の温度変化を効果的に抑制できる。
【０１０７】
図９の構成例では、シャッタ機構３４０は、上面部３１１に沿って水平方向に移動可能に構成され、接触面２３は、下方向移動に伴ってシャッタ機構３４０を水平方向に移動させる傾斜面を含む。図９の構成例では、接触面２３が、上下方向に対して所定角度θ傾斜した傾斜面となっている。これにより、押圧部２０が下方向へ移動すると、シャッタ機構３４０が傾斜面に接触し、傾斜面に沿って水平方向に押しのけられるようにして、開放される。そのため、接触面２３に傾斜面を設ける簡素な構成で、押圧部２０の下方向への移動を、シャッタ機構３４０の水平方向移動に変換することができる。図９では、シャッタ機構３４０は、上面側に傾斜面３４４を有し、傾斜面同士が接触するように構成しているため、接触抵抗を低減できる。
【０１０８】
図９の構成例では、シャッタ機構３４０は、互いに離れる方向に移動可能に隣接する一対のシャッタ３４１を含む。また、押圧部２０は、一対のシャッタ３４１の間の位置で上下方向へ移動可能に配置されている。そして、接触面２３は、押圧部２０の同じ上下位置で、各々のシャッタと接触するように押圧部２０の両側に設けられたテーパ状の傾斜面を含む。これにより、押圧部２０は、下方向移動に伴って一対のシャッタ３４１を互いに反対方向に割り拡げるように移動させて、シャッタ機構３４０を開放させる。そのため、傾斜面からなる接触面２３が押圧部２０の両側の同じ位置に設けられるので、シャッタ３４１を一方向のみに移動させる場合と比べて、傾斜面の傾斜角度θを大きくしなくても、押圧部２０の下降量に対するシャッタ機構３４０の開放量を大きくできる。すなわち、図１０（Ａ）および図１０（Ｂ）に示すように、片側のみに傾斜面を設けて図９と同じストローク量Ｄ１でシャッタ機構３４０を開閉するには、傾斜面の傾斜角度θを大きくする必要があり、より大きな下向きの押圧力が必要になる。図９の構成例では、大きな押圧力を要することなく、単位ストローク量当たりの開放量を大きくできる。
【０１０９】
なお、図９の構成例では、押圧部２０は、円柱状に形成され、接触面２３は、円柱状の押圧部２０の外周を絞ったテーパ形状（図１２参照）に形成されている。そのため、傾斜面が押圧部２０の全周に渡って形成されている。角柱状の押圧部２０において、対向する一対の側面に傾斜面を形成するだけでもよい。
【０１１０】
図１１および図１２は、シャッタ機構３４０を試薬保冷庫３００の内面側から見た図であり、図１１がシャッタ機構３４０を閉じた状態、図１２がシャッタ機構３４０を開いた状態を示す。シャッタ機構３４０は、閉じた状態では一対のシャッタ３４１により第１孔部３１４ａおよび第２孔部３１４ｂを塞ぐ。シャッタ機構３４０は、開いた状態では一対のシャッタ３４１により第１孔部３１４ａおよび第２孔部３１４ｂを開放する。
【０１１１】
図１１および図１２の構成例では、一対のシャッタ３４１は、それぞれ、互いに一端Ｅ１側の端部３４１ａでシャッタヒンジ３４２により回動可能に連結された柱状部材により構成されている。一対のシャッタ３４１は、それぞれ、直線状に延びる細長い板状形状の柱状部材により形成されている。シャッタヒンジ３４２は、一対のシャッタ３４１の各々の端部３４１ａを貫通して上面部３１１に固定されており、一対のシャッタ３４１の回動軸となっている。一対のシャッタ３４１は、押圧部２０の接触面２３に押圧されることにより、シャッタヒンジ３４２を中心に互いに離れる方向に回動する。
【０１１２】
図１２に示すように、孔部３１４は、シャッタ３４１の一端Ｅ１側の位置に配置された第１孔部３１４ａと、シャッタ３４１の一端側とは反対の他端Ｅ２側の位置に配置され、第１孔部３１４ａよりも大きい第２孔部３１４ｂとを含み、押圧部２０が第１孔部３１４ａを通過するように設けられ、試薬分注部３０が第２孔部３１４ｂを通過するように設けられている。つまり、第２孔部３１４ｂの方が、第１孔部３１４ａよりも、回動中心であるシャッタヒンジ３４２から離れた位置に配置されている。この結果、押圧部２０が一対のシャッタ３４１の回動中心に近い側を通過してシャッタ機構３４０を開放し、試薬分注部３０が回動中心から遠い側を通過する。これにより、押圧部２０が一対のシャッタ３４１を所定角度だけ回動させると、試薬分注部３０が通過する第２孔部３１４ｂの位置では、回動中心からの距離が大きくなる分だけ一対のシャッタ３４１の移動量が大きくなり、試薬分注部３０の吸引動作を妨げないように第２孔部３１４ｂを大きく開放できる。そのため、図１１および図１２の構成例では、第２孔部３１４ｂの内径は、第１孔部３１４ａの内径よりも大きく、第２孔部３１４ｂに吸引管３０ａを容易に進入させることができる。
【０１１３】
図１１および図１２の構成例では、シャッタ機構３４０は、孔部３１４を閉鎖する方向に付勢する付勢部材３４３を含む。この例では、付勢部材３４３は、トーションバネにより構成されている。付勢部材３４３は、シャッタヒンジ３４２に巻回されており、両端がそれぞれ一対のシャッタ３４１の係合部３４１ｂに当接している。これにより、付勢部材３４３は、一対のシャッタ３４１の各係合部３４１ｂを互いに近付く方向に押圧することにより、孔部３１４を閉鎖する方向にシャッタ機構３４０を付勢している。
【０１１４】
押圧部２０は、下方移動に伴って付勢部材３４３の付勢力に抗してシャッタ機構３４０を開放させ、上方移動に伴って付勢部材３４３の付勢力によってシャッタ機構３４０を閉鎖させる。つまり、シャッタ機構３４０の開放後、押圧部２０が上昇するだけで、付勢部材３４３の付勢力によってシャッタ機構３４０が自動的に閉鎖する。これにより、シャッタ機構３４０の開放用の駆動源のみならず、シャッタ機構３４０の閉鎖用のモータなどの駆動源も設ける必要がなくなるので、装置構成を簡素化できる。
【０１１５】
図１３（Ａ）および図１３（Ｂ）の構成例では、付勢部材３４３が、引張コイルバネにより構成されている。付勢部材３４３は、シャッタヒンジ３４２が設けられた一端Ｅ１とは反対の他端Ｅ２側に設けられ、一対のシャッタ３４１の係合部３４１ｂを互いに近付く方向に付勢している。付勢部材３４３は、図１３のような構成でもよい。
【０１１６】
（押圧部による蓋部の開閉動作）
図１４は、押圧部２０による蓋部２２０の開閉動作の流れを示している。図１４において、押圧部２０は、接触面２３（ハッチング部分）が一点鎖線で示すシャッタ開放高さＨ１を通過して下方向に移動することにより、シャッタ機構３４０を開放する。接触面２３がシャッタ開放高さＨ１を通過して上方向に移動すると、シャッタ機構３４０は付勢部材３４３の付勢力により閉鎖される。蓋部２２０の開放および閉塞に関しては、押圧部２０の下端部２４の高さ位置を基準とする。
【０１１７】
図１４（Ａ）に示すように、試薬の吸引を行わない場合、押圧部２０は、下端部２４が所定の上昇位置Ｈ２に配置されるように待機する。上昇位置Ｈ２は、閉鎖状態の蓋部２２０よりも上方の所定位置である。上昇位置Ｈ２において、接触面２３はシャッタ開放高さＨ１よりも上方に配置され、シャッタ機構３４０は閉じられた状態である。
【０１１８】
試薬の吸引を行う場合、図１４（Ｂ）に示すように、容器保持部１０が保持部駆動部３３０により周方向に回転駆動され、吸引すべき試薬を収容する試薬容器２００が押圧部２０の下方に水平移動される。より正確には、保持部駆動部３３０は、試薬容器２００のうち、蓋部２２０の第１領域２２１を、押圧部２０の直下に位置付ける。
【０１１９】
試薬容器２００が配置されると、押圧部２０が下方向に移動して蓋部２２０の第１領域２２１を下方向に押圧する。図１４（Ｂ）の例では、押圧部２０は、蓋部２２０の開放時に、第１領域２２１の回動中心２２３からの長さＤ２と略等しい量Ｄ３だけ回動中心２２３よりも下方に位置する下降位置Ｈ３まで下降する。ここで、第１領域２２１の回動中心２２３からの長さは、回動中心２２３回りに回動する第１領域２２１の円弧状軌跡の半径に相当する。そのため、押圧部２０が半径分だけ回動中心２２３よりも下方に位置する下降位置Ｈ３まで下降することにより、押圧部２０に押された第１領域２２１が略真下を向くまで蓋部２２０が回動することになる。その結果、蓋部２２０の回動量を大きくして開口２１０をより大きく開放できるので、試薬吸引時に開放状態の蓋部２２０が邪魔にならずに容易に試薬を吸引できる。図１４（Ｂ）の例では、回動中心２２３からの下降位置Ｈ３への下降量Ｄ３は、長さＤ２と略等しいが若干小さく、蓋部２２０は９０度近傍の９０度よりも小さい角度回動する。
【０１２０】
このように、図１４の例による検体測定方法では、蓋部２２０を開放する際、押圧部２０に対して試薬容器２００を水平方向に相対移動させて第１領域２２１を押圧部２０の下方に配置し、押圧部２０を、第１領域２２１の回動中心２２３からの長さと略等しい量だけ回動中心２２３よりも下方に位置する下降位置Ｈ３まで下降させる。これにより、蓋部２２０の回動量を大きくして開口２１０をより大きく開放できるので、試薬吸引時に開放状態の蓋部２２０が邪魔にならずに容易に試薬を吸引できる。
【０１２１】
下降位置Ｈ３において、接触面２３は、シャッタ開放高さＨ１よりも下方に配置され、シャッタ機構３４０は開放された状態となる。つまり、押圧部２０は、下降位置Ｈ３まで下方向に移動する過程で、接触面２３により一対のシャッタ３４１を押し拡げ、シャッタ機構３４０を開放する。シャッタ機構３４０は、試薬分注部３０を通過させる第２孔部３１４ｂも開放する。押圧部２０が第１領域２２１を下降位置Ｈ３まで下方向に押圧することにより、第２領域２２２が上方に回動して、蓋部２２０を開放する。これにより、試薬容器２００の開口２１０が開放される。
【０１２２】
このように、図１４の例による検体測定方法では、蓋部２２０を開放する際、上面部３１１の外部から下降する押圧部２０によって孔部３１４を塞ぐシャッタ機構３４０を開放させる。これにより、シャッタ機構３４０によって試薬を吸引しない場合に試薬保冷庫３００の気密性を向上させることができるので、試薬保冷庫３００内の温度変化の抑制および冷却効率の向上が図れる。また、蓋部２２０を開放する際、押圧部２０が下降することによりシャッタ機構３４０を開放させるので、シャッタ機構３４０を開放するための駆動源を別途設ける必要がない。そのため、シャッタ機構３４０を設ける場合の装置構成を簡素化できる。
【０１２３】
図１４（Ｂ）に示すように、蓋部２２０が開いて試薬容器２００の開口２１０が開放されると、試薬分注部３０は吸引管３０ａを試薬保冷庫３００の上方から下降させ、第２孔部３１４ｂを介して試薬保冷庫３００の内部に進入させ、開口２１０を介して試薬容器２００の内部に進入させる。試薬分注部３０は、吸引管３０ａにより試薬容器２００内の試薬を吸引する。所定量の試薬吸引が完了すると、試薬分注部３０は、吸引管３０ａを上昇させて、開口２１０および第２孔部３１４ｂを通過させて試薬保冷庫３００の内部から吸引管３０ａを退避させる。試薬吸引が完了するまで、押圧部２０の下端部２４は、下降位置Ｈ３に位置付けられる。
【０１２４】
図１４（Ｃ）に示すように、押圧部２０は、閉鎖状態の蓋部２２０の第１領域２２１を下方向に押圧して蓋部２２０を開放した後、回動中心２２３よりも上方で、開放状態の第２領域２２２に接触する上昇位置Ｈ２まで上方移動する。つまり、上昇位置Ｈ２において、押圧部２０の下端部２４は、回動中心２２３と、開放状態の第２領域２２２の先端部との間に配置される。容器保持部１０は、保持部駆動部３３０により周方向に回転駆動され、開口２１０が押圧部２０の下方に位置付けられるように水平移動する。開放状態の蓋部２２０は、第２領域２２２の自重によって開口２１０に向けて回動するか、または、水平移動に伴って押圧部２０と第２領域２２２とが水平方向に当接することによって、開口２１０に向けて回動する。上昇位置Ｈ２を、開放状態の第２領域２２２に接触する位置とすることによって、押圧部２０を第２領域２２２に確実に接触させることができる。
【０１２５】
図１４（Ｄ）に示すように、蓋部２２０が開口２１０に向けて回動すると、第２領域２２２の自重によって、自然的に開口２１０を閉鎖した状態となる。しかし、第２領域２２２の自重だけでは蓋部２２０を完全に閉鎖しない場合がある。図１４の例では、第２領域２２２の内面側には、開口２１０に嵌り込んで栓をするための突起部２２４（図１８参照）が設けられている。突起部２２４が開口２１０の縁部に接触するため、蓋部２２０の回動は、蓋部２２０が完全には閉鎖されない仮閉め位置ＣＰで停止する。
【０１２６】
このように、図１４の例による検体測定方法では、蓋部２２０を閉鎖する際、押圧部２０を、回動中心２２３よりも上方で、開放状態の第２領域２２２に接触する上昇位置Ｈ２まで移動させ、押圧部２０に対して試薬容器２００を水平方向に相対移動させて押圧部２０と第２領域２２２とを水平方向に接触させることにより、蓋部２２０を仮閉め位置ＣＰまで回動させる。これにより、第２領域２２２が開放状態で略直立するまで回動された場合にも、上昇位置Ｈ２の押圧部２０が第２領域２２２に水平方向に接触して第２領域２２２を仮閉め位置ＣＰまで開口２１０側へ回動させることができる。その結果、蓋部２２０を大きく回動させる場合でも、確実に蓋部２２０を密閉できる。
【０１２７】
図１４（Ｅ）に示すように、押圧部２０は、上昇位置Ｈ２において開放状態の第２領域２２２と水平方向に接触して蓋部２２０を仮閉め位置ＣＰまで回動させた後、仮閉め位置ＣＰにおける第２領域２２２を下方向に押圧して蓋部２２０を回動させ、蓋部２２０により試薬容器２００の開口２１０を密閉させる。これにより、第２領域２２２が開放状態で略直立するまで回動された場合にも、上昇位置Ｈ２の押圧部２０が第２領域２２２に水平方向に接触して第２領域２２２を仮閉め位置ＣＰまで開口２１０側へ回動させることができる。その結果、仮閉め位置ＣＰの第２領域２２２を、押圧部２０が容易に下方向に押圧して開口２１０を密閉できる。
【０１２８】
このように、図１４の例による検体測定方法では、押圧部２０に対して試薬容器２００を水平方向に相対移動させて仮閉め位置ＣＰの第２領域２２２を押圧部２０の下方に配置し、閉鎖状態の第２領域２２２の上面位置である蓋閉め位置Ｈ４へ押圧部２０を下降させて、第２領域２２２により開口２１０を密閉させる。これにより、第１領域２２１および第２領域２２２をそれぞれ押圧するために押圧部２０を複数設けたり、押圧部２０を水平移動させる機構を設けたりする必要がないので押圧部２０の構成を簡素化できる。そして、仮閉め位置ＣＰの第２領域２２２を、押圧部２０が容易に下方向に押圧して開口２１０を密閉できる。
【０１２９】
また、押圧部２０は、蓋部２２０を押圧して、蓋部２２０に形成された突起部２２４を開口２１０に嵌合させる。すなわち、押圧部２０の下端部２４は、完全に閉じた状態の第２領域２２２の上面の高さ位置に相当する蓋閉め位置Ｈ４まで下降して、突起部２２４を開口２１０の内部に嵌合させつつ蓋部２２０を閉鎖させる。蓋閉め位置Ｈ４は、下降位置Ｈ３と上昇位置Ｈ２との間の高さ位置にある。蓋閉め位置Ｈ４において、接触面２３はシャッタ開放高さＨ１よりも上方に配置され、シャッタ機構３４０は閉じられた状態である。したがって、図１４の構成例では、押圧部２０は、シャッタ機構３４０を閉じた状態に維持したまま、蓋閉め位置Ｈ４まで下降して、仮閉め位置ＣＰの蓋部２２０を密閉させることができる。
【０１３０】
このように、押圧部２０は、開放状態の第２領域２２２に接触する上昇位置Ｈ２と、上昇位置Ｈ２よりも下方で、開放状態の第１領域２２１に接触する下降位置Ｈ３と、上昇位置Ｈ２および下降位置Ｈ３の間で、第２領域２２２を押圧して蓋部２２０を閉鎖させる蓋閉め位置Ｈ４と、に上下移動するように構成されている。そして、シャッタ機構３４０は、押圧部２０が上昇位置Ｈ２および蓋閉め位置Ｈ４に位置する場合に閉鎖され、押圧部２０が下降位置Ｈ３に位置する場合に開放されるように構成されている。これにより、蓋部２２０が開放される下降位置Ｈ３まで押圧部２０が下降した場合にだけシャッタ機構３４０を開放し、蓋閉めを行う場合にはシャッタ機構３４０を閉鎖しておくことができる。そのため、試薬保冷庫３００の孔部３１４が開放される時間を極力短縮できるので、試薬保冷庫３００の温度変化を効果的に抑制できる。
【０１３１】
押圧部２０が蓋閉め位置Ｈ４まで下降して第２領域２２２を押圧した後は、上昇位置Ｈ２まで上方向に移動して、図１４（Ａ）の状態に戻り待機する。上昇位置Ｈ２と蓋閉め位置Ｈ４との間での移動では、シャッタ機構３４０は動かずに閉じたままであり、下降位置Ｈ３に移動させる際に、シャッタ機構３４０は開放される。
【０１３２】
以上のように、図１４の例による検体測定方法では、蓋部２２０を閉鎖する際、押圧部２０を、回動中心２２３よりも上方で、開放状態の第２領域２２２に接触する上昇位置Ｈ２まで移動させることにより、シャッタ機構３４０を閉鎖させる。これにより、蓋部２２０が開放された後、押圧部２０が上昇位置Ｈ２まで移動して蓋閉めの動作を開始する際には、シャッタ機構３４０を閉鎖することができる。そのため、試薬保冷庫３００の孔部３１４が開放される時間を短縮できるので、試薬保冷庫３００の温度変化を効果的に抑制できる。
【０１３３】
そして、図１４の例による検体測定方法では、蓋部２２０を閉鎖する際、シャッタ機構３４０の閉鎖状態を維持したまま、閉鎖状態の第２領域２２２の上面位置である蓋閉め位置Ｈ４へ押圧部２０を下降させて、第２領域２２２により開口２１０を密閉させる。これにより、シャッタ機構３４０が閉鎖されたままの状態で、蓋閉めの動作を行うことができる。そのため、試薬保冷庫３００の孔部３１４が開放される時間をさらに短縮できるので、試薬保冷庫３００の温度変化をより一層効果的に抑制できる。
【０１３４】
（免疫測定の概要）
図３〜図１４に示した構成例では、上記の通り、Ｒ１試薬〜Ｒ５試薬を用いて免疫測定が行われる。図１５を参照して、免疫測定の一例として、被検物質８１がＢ型肝炎表面抗原（ＨＢｓＡｇ）である例について説明する。
【０１３５】
まず、反応容器５０に被検物質８１を含む検体とＲ１試薬とが分注される。第１試薬分注部３１により、Ｒ１試薬が反応容器５０中に分注され、検体分注部１３０により、反応容器５０中に検体が分注される。Ｒ１試薬は、捕捉物質８４を含有し、被検物質８１と反応して結合する。捕捉物質８４は、捕捉物質８４がＲ２試薬に含まれる固相担体８２と結合するための結合物質を含む。
【０１３６】
この結合物質と固相担体との結合には、たとえばビオチンとアビジン類、ハプテンと抗ハプテン抗体、ニッケルとヒスタチジンタグ、グルタチオンとグルタチオン−Ｓ−トランスフェラーゼなどの組み合わせが利用できる。なお、「アビジン類」とは、アビジンおよびストレプトアビジンを含むことを意味する。
【０１３７】
たとえば、捕捉物質８４は、ビオチンで修飾された抗体（ｂｉｏｔｉｎ抗体）である。すなわち、捕捉物質８４には、結合物質としてビオチンが修飾されている。検体とＲ１試薬との分注後、反応部１６０において反応容器５０内の試料が所定温度に加温されることにより、捕捉物質８４と被検物質８１とが結合する。
【０１３８】
次に、第２試薬分注部３２により、反応容器５０にＲ２試薬が分注される。Ｒ２試薬は、固相担体８２を含有する。固相担体８２は、捕捉物質８４の結合物質と結合する。固相担体８２は、たとえばビオチンと結合するストレプトアビジンを固定した磁性粒子（ＳｔＡｖｉ結合磁性粒子）である。ＳｔＡｖｉ結合磁性粒子のストレプトアビジンは、結合物質であるビオチンと反応して結合する。Ｒ２試薬の分注後、反応部１６０において反応容器５０内の試料が所定温度に加温される。この結果、被検物質８１と捕捉物質８４とが、固相担体８２と結合する。
【０１３９】
固相担体８２上に形成された被検物質８１および捕捉物質８４と、未反応の捕捉物質８４とは、ＢＦ分離部１８０による１次ＢＦ分離処理によって分離される。ＢＦ分離部１８０の処理ポートに反応容器５０がセットされると、ＢＦ分離部１８０は、磁力源１８２による集磁状態での洗浄部１８１による液相の吸引と、洗浄液の吐出と、非集磁状態での攪拌と、の各工程を１または複数回実行する。１次ＢＦ分離処理によって、未反応の捕捉物質８４などの不要成分が、反応容器５０中から除去される。１次ＢＦ分離処理では、最終的に反応容器５０内の液相が吸引された状態で、次の工程に進む。
【０１４０】
次に、第３試薬分注部３３により、反応容器５０にＲ３試薬が分注される。Ｒ３試薬は、標識物質８３を含有し、被検物質８１と反応して結合する。Ｒ３試薬の分注後、反応部１６０において反応容器５０内の試料が所定温度に加温される。この結果、固相担体８２上に、被検物質８１と、標識物質８３と、捕捉物質８４とを含む免疫複合体８５が形成される。図１５の例では、標識物質８３は、ＡＬＰ（アルカリホスファターゼ）標識抗体である。
【０１４１】
固相担体８２上に形成された免疫複合体８５と、未反応の標識物質８３とは、２次ＢＦ分離処理によって分離される。ＢＦ分離部１８０は、磁力源１８２による集磁状態での液相の吸引と、洗浄液の吐出と、非集磁状態での攪拌と、の各工程を１または複数回実行する。２次ＢＦ分離処理によって、未反応の標識物質８３などの不要成分が、反応容器５０中から除去される。２次ＢＦ分離処理では、最終的に反応容器５０内の液相が吸引された状態で、次の工程に進む。
【０１４２】
その後、第４試薬分注部３４および第５試薬分注部３５の各々により、反応容器５０にＲ４試薬およびＲ５試薬が分注される。Ｒ４試薬は、緩衝液を含有する。固相担体８２と結合した免疫複合体８５が緩衝液中に分散される。Ｒ５試薬は、化学発光基質を含有する。Ｒ４試薬に含有される緩衝液は、免疫複合体８５に含まれる標識物質８３の標識（酵素）と基質との反応を促進する組成を有する。Ｒ４、Ｒ５試薬の分注後、反応部１６０において反応容器５０内の試料が所定温度に加温される。標識に対して基質を反応させることによって光が発生し、発生する光の強度が測定部４０の光検出器４０ａにより測定される。制御部４００は、測定部４０の検出信号に基づいて、検体中の被検物質８１の含有量などを分析する。
【０１４３】
（分析処理動作の説明）
次に、図１５に示した検体測定装置１００の分析処理動作を、図１６を用いて説明する。また、図１６に示す各ステップの処理は、制御部４００によって制御される。
【０１４４】
ステップＳ１において、制御部４００は、反応容器移送部１５０に反応容器５０をＲ１試薬分注位置に移送させる。制御部４００は、第１試薬分注部３１に、反応容器５０内にＲ１試薬を分注させる。
【０１４５】
ステップＳ２において、反応容器５０に検体が分注される。制御部４００は、検体分注部１３０により検体搬送部１２０上の試験管から検体を吸引させる。制御部４００は、検体分注部１３０により、吸引した検体を反応容器５０に分注させる。分注後、検体分注部１３０は、図示しない廃棄口に分注チップを廃棄するように制御される。検体分注部１３０は、分注チップを介した分注動作を行う度に、未使用の分注チップに交換する。
【０１４６】
ステップＳ３において、制御部４００は、反応容器移送部１５０により反応容器５０をＲ２試薬分注位置に移送させ、第２試薬分注部３２により反応容器５０にＲ２試薬を分注させる。Ｒ２試薬の分注後、制御部４００は、反応容器移送部１５０により、反応部１６０に反応容器５０を移送させる。反応容器５０は、反応部１６０において所定時間の間加温される。
【０１４７】
ステップＳ４において、制御部４００は、ＢＦ分離部１８０に１次ＢＦ分離処理を実行させる。まず、制御部４００は、反応容器移送部１５０により反応容器５０をＢＦ分離部１８０に移送させる。ＢＦ分離部１８０は、反応容器５０中の試料に対して１次ＢＦ分離処理（図１５参照）を行い、液体成分を除去するように制御される。
【０１４８】
ステップＳ５において、制御部４００は、反応容器移送部１５０により反応容器５０をＲ３試薬分注位置に移送し、第３試薬分注部３３により反応容器５０にＲ３試薬を分注させる。Ｒ３試薬の分注後、制御部４００は、反応容器移送部１５０により、反応部１６０に反応容器５０を移送させる。反応容器５０は、反応部１６０において所定時間の間加温される。
【０１４９】
ステップＳ６において、制御部４００は、ＢＦ分離部１８０に２次ＢＦ分離処理を実行させる。まず、制御部４００は、反応容器移送部１５０により反応容器５０をＢＦ分離部１８０に移送させる。ＢＦ分離部１８０は、反応容器５０中の試料に対して２次ＢＦ分離処理（図１５参照）を行い、液体成分を除去するように制御される。
【０１５０】
ステップＳ７において、反応容器５０にＲ４試薬が分注される。制御部４００は、反応容器移送部１５０により反応容器５０をＲ４試薬分注位置に移送させ、第４試薬分注部３４により、反応容器５０にＲ４試薬を分注させる。
【０１５１】
ステップＳ８において、反応容器５０にＲ５試薬が分注される。制御部４００は、反応容器移送部１５０により反応容器５０をＲ５試薬分注位置に移送させ、第５試薬分注部３５により、反応容器５０にＲ５試薬を分注させる。Ｒ５試薬の分注後、制御部４００は、反応容器移送部１５０により、反応部１６０に反応容器５０を移送させる。反応容器５０は、反応部１６０において所定時間の間加温される。
【０１５２】
ステップＳ９において、免疫複合体８５の検出処理が行われる。制御部４００は、反応容器移送部１５０により反応容器５０を測定部４０に移送させる。測定部４０により、標識に対して基質を反応させることによって生じる光の強度が測定される。測定部４０の検出結果は、制御部４００に出力される。
【０１５３】
検出終了後は、ステップＳ１０において、反応容器移送部１５０が、分析処理済みの反応容器５０を測定部４０から取り出して、図示しない廃棄口に廃棄するように制御される。
【０１５４】
以上により、検体測定装置１００による分析処理動作が行われる。
【０１５５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【符号の説明】
【０１５６】
１０：容器保持部、２０：押圧部、２３：接触面（傾斜面）、２４：下端部、３０：試薬分注部、４０：測定部、５０：反応容器、１００：検体測定装置、２００、２０１、２０２：試薬容器、２１０：開口、２２０：蓋部、２２１：第１領域、２２２：第２領域、２２３：回動中心、２２４：突起部、２３０、２３１、２３２、２３３：容器本体、２３４：取付部、２５０：キャップ、３００：試薬保冷庫、３１１：上面部、３１４：孔部、３１４ａ：第１孔部、３１４ｂ：第２孔部、３３０、３３１、３３２：保持部駆動部、３４０：シャッタ機構、３４１：シャッタ、３４２：シャッタヒンジ、３４３：付勢部材、Ｈ２：上昇位置、Ｈ３：下降位置、Ｈ４：蓋閉め位置、ＣＰ：仮閉め位置
【図１】
0006987653.tif 000002
【図２】
0006987653.tif 000003
【図３】
0006987653.tif 000004
【図４】
0006987653.tif 000005
【図５】
0006987653.tif 000006
【図６】
0006987653.tif 000007
【図７】
0006987653.tif 000008
【図８】
0006987653.tif 000009
【図９】
0006987653.tif 000010
【図１０】
0006987653.tif 000011
【図１１】
0006987653.tif 000012
【図１２】
0006987653.tif 000013
【図１３】
0006987653.tif 000014
【図１４】
0006987653.tif 000015
【図１５】
0006987653.tif 000016
【図１６】
0006987653.tif 000017
【図１７】
0006987653.tif 000018
【図１８】
0006987653.tif 000019
【図１９】
0006987653.tif 000020